(57)【要約】【課題】  対象物件の電力料金の増加を低減することができるデフロスト制御システム及びデフロスト制御方法を提供する。【解決手段】  デフロスト制御システムは、第１記憶部と、第１決定部とを備える。第１記憶部は、ピーク情報を記憶する。ピーク情報は、１以上のピーク時刻に関する情報である。ピーク時刻は、対象物件の総電力に関するトレンドにおいてピークとなる時刻である。第１決定部は、少なくともピーク情報に基づいて、１以上のデフロスト時刻を決定する。デフロスト時刻は、冷凍冷蔵装置のデフロストが行われる時刻である。冷凍冷蔵装置は、対象物件において冷凍及び冷蔵の少なくとも一方を行う。【選択図】      図４
2006322629.tif 000002
【特許請求の範囲】
【請求項１】
対象物件の総電力に関するトレンドにおいてピークとなる時刻である１以上のピーク時刻に関する情報であるピーク情報を記憶する第１記憶部（７５，１７５，２７５，３３５ａ，・・・）と、
少なくとも前記ピーク情報に基づいて、前記対象物件において冷凍及び冷蔵の少なくとも一方を行う冷凍冷蔵装置（５１ａ，・・・）の前記デフロストが行われる時刻である１以上のデフロスト時刻を決定する第１決定部（７３，７３ａ，７３ｂ，７３ｉ，７３ｊ，３３３ａ，・・・）と、
を備えた、デフロスト制御システム（１，１ａ，１ｂ，１ｉ，１ｊ，１ｋ，１００，１００ｉ，２００，３００）。
【請求項２】
前記対象物件の前記総電力に関するトレンドは、前記対象物件の前記総電力を第１時間について平均した値である総電力デマンド値のトレンドを含む、
請求項１に記載のデフロスト制御システム（１，１ａ，１ｂ，１ｉ，１ｊ，１ｋ，１００，１００ｉ，２００，３００）。
【請求項３】
前記第１決定部（７３，７３ａ，７３ｉ，７３ｊ，３３３ａ，・・・）は、少なくとも前記ピーク情報に基づいて、前記１以上のピーク時刻を避けるように前記１以上のデフロスト時刻を決定する、
請求項１または２に記載のデフロスト制御システム（１，１ａ，１ｉ，１ｊ，１ｋ，１００，１００ｉ，２００，３００）。
【請求項４】
前記冷凍冷蔵装置（５１ａ，・・・）は、冷却部（５１１ａ，・・・）と、前記冷却部の近傍に設けられ通電が行われることによって加熱する加熱部（５１７ａ，・・・）とを有し、
前記デフロストは、前記デフロスト時刻において前記加熱部に通電が行われることによって実行される、
請求項３に記載のデフロスト制御システム（１，１ａ，１ｉ，１ｊ，１００，１００ｉ，２００，３００）。
【請求項５】
前記冷凍冷蔵装置（５１ａｋ，・・・）は、冷凍冷蔵運転時に蒸発器として機能する熱交換器（５１１ａ，・・・）を有し、
前記デフロストは、前記デフロスト時刻において前記熱交換器を凝縮器として機能させることによって実行される、
請求項３に記載のデフロスト制御システム（１ｋ）。
【請求項６】
前記第１決定部（７３ｂ）は、少なくとも前記ピーク情報に基づいて、前記１以上のピーク時刻に重なるように前記１以上のデフロスト時刻を決定する、
請求項１または２に記載のデフロスト制御システム（１ｂ）。
【請求項７】
前記第１決定部（７３ｂ）は、前記１以上のピーク時刻の直前を避けるように前記１以上のデフロスト時刻を決定する、
請求項６に記載のデフロスト制御システム（１ｂ）。
【請求項８】
前記デフロストは、前記冷凍冷蔵装置（５１ａｂ，・・・）が停止されることによって実行される、
請求項６または７に記載のデフロスト制御システム（１ｂ）。
【請求項９】
前記対象物件の前記総電力デマンド値を検知する第１検知部（９４ａ，・・・）と、
前記対象物件の前記総電力デマンド値に基づいて、前記ピーク情報を決定する第２決定部（７４）と、
をさらに備えた、
請求項１から８のいずれかに記載のデフロスト制御システム（１，１ａ，１ｂ，１ｉ，１ｊ，１ｋ）。
【請求項１０】
前記対象物件の前記総電力に関するトレンドは、前記対象物件の前記総電力を第１時間について平均した値である総電力デマンド値に関するトレンドと、前記対象物件における前記デフロストに要する電力を前記第１時間について平均した値である第１電力デマンド値に関するトレンドとを含み、
前記対象物件の前記総電力デマンド値を検知する第１検知部（９４ａ，・・・）と、
前記対象物件の前記総電力デマンド値と前記第１電力デマンド値とに基づいて、前記ピーク情報を決定する第３決定部（１８３）と、
をさらに備えた、
請求項１から８のいずれかに記載のデフロスト制御システム（１００，１００ｉ）。
【請求項１１】
前記第１電力デマンド値が入力される第３入力部（１８５ｉ）をさらに備えた、
請求項１０に記載のデフロスト制御システム（１００ｉ）。
【請求項１２】
前記第１電力デマンド値を検知する第２検知部（１９６ａ，・・・）をさらに備えた、
請求項１０に記載のデフロスト制御システム（１００）。
【請求項１３】
前記対象物件の前記総電力に関するトレンドは、前記冷凍冷蔵装置（５１ａ，・・・）の周辺空間を空気調和する空気調和装置（１１ａ，・・・）並びに前記冷凍冷蔵装置（５１ａ，・・・）の少なくとも一方の電力を第１時間について平均した値である第２電力デマンド値に関するトレンドを含み、
前記第２電力デマンド値を検知する第３検知部（２９６ａ，・・・，２９８ａ，・・・）と、
前記対象物件の前記第２電力デマンド値に基づいて、前記ピーク情報を決定する第４決定部（２８４）と、
をさらに備えた、
請求項１から８のいずれかに記載のデフロスト制御システム（２００）。
【請求項１４】
前記対象物件の前記総電力に関するトレンドは、第２時間におけるトレンドを含む、
請求項１から１３のいずれかに記載のデフロスト制御システム（１，１ａ，１ｂ，１ｉ，１ｊ，１ｋ，１００，１００ｉ，２００，３００）。
【請求項１５】
前記デフロスト時刻は、第２時間において複数存在し、
前記デフロスト時刻の時間間隔の上限である上限間隔を記憶する第２記憶部（７６，７６ａ，３３６ａ，・・・）をさらに備え、
前記第１決定部（７３，７３ａ，７３ｂ，７３ｉ，７３ｊ，３３３ａ，・・・）は、前記上限間隔と前記ピーク情報とに基づいて、前記１以上のデフロスト時刻を決定する、
請求項１４に記載のデフロスト制御システム（１，１ａ，１ｂ，１ｉ，１ｊ，１ｋ，１００，１００ｉ，２００，３００）。
【請求項１６】
前記第２記憶部（７６，７６ａ，３３６ａ，・・・）は、前記デフロスト時刻の時間間隔の下限である下限間隔をさらに記憶し、
前記第１決定部（７３，７３ａ，７３ｂ，７３ｉ，７３ｊ，３３３ａ，・・・）は、前記上限間隔と前記下限間隔と前記ピーク情報とに基づいて、前記１以上のデフロスト時刻を決定する、
請求項１５に記載のデフロスト制御システム（１，１ａ，１ｂ，１ｉ，１ｊ，１ｋ，１００，１００ｉ，２００，３００）。
【請求項１７】
前記ピーク時刻は、前記第２時間において複数存在し、
複数の前記ピーク時刻のうち前記ピーク情報に含められる前記ピーク時刻の数であるピーク数を記憶する第３記憶部（７７，３３７ａ，・・・）をさらに備え、
前記第１決定部（７３，７３ａ，７３ｂ，７３ｉ，７３ｊ，３３３ａ，・・・）は、前記ピーク数と前記ピーク情報とに基づいて、前記１以上のデフロスト時刻を決定する、
請求項１４に記載のデフロスト制御システム（１，１ａ，１ｂ，１ｉ，１ｊ，１ｋ，１００，１００ｉ，２００，３００）。
【請求項１８】
前記第２時間における前記デフロスト時刻の回数の下限である下限回数を記憶する第４記憶部（７８，３３８ａ，・・・）をさらに備え、
前記第１決定部（７３，７３ａ，７３ｂ，７３ｉ，７３ｊ，３３３ａ，・・・）は、前記下限回数と前記ピーク情報とに基づいて、前記１以上のデフロスト時刻を決定する、
請求項１４に記載のデフロスト制御システム（１，１ａ，１ｂ，１ｉ，１ｊ，１ｋ，１００，１００ｉ，２００，３００）。
【請求項１９】
第４記憶部（７８，３３８ａ，・・・）は、前記第２時間における前記デフロスト時刻の回数の上限である上限回数をさらに記憶し、
前記第１決定部（７３，７３ａ，７３ｂ，７３ｉ，７３ｊ，３３３ａ，・・・）は、前記下限回数と前記上限回数と前記ピーク情報とに基づいて、前記１以上のデフロスト時刻を決定する、
請求項１８に記載のデフロスト制御システム（１，１ａ，１ｂ，１ｉ，１ｊ，１ｋ，１００，１００ｉ，２００，３００）。
【請求項２０】
前記対象物件におけるイベントの発生状況に関する情報であるイベント情報を検知する第４検知部（９ａ，・・・）をさらに備え、
前記第１決定部（７３ｉ）は、前記ピーク情報と前記イベント情報とに基づいて、前記１以上のデフロスト時刻を決定する、
請求項１から１９のいずれかに記載のデフロスト制御システム（１ｉ）。
【請求項２１】
前記対象物件におけるイベントの発生状況に関する情報であるイベント情報が入力される第４入力部（８６ｊ）をさらに備え、
前記第１決定部（７３ｊ）は、前記ピーク情報と前記イベント情報とに基づいて、前記１以上のデフロスト時刻を決定する、
請求項１から１９のいずれかに記載のデフロスト制御システム（１ｊ）。
【請求項２２】
季節に関する情報、気象情報及び地域に関する情報の少なくとも１つが入力される第１入力部（８１ａ）をさらに備え、
前記第１決定部（７３ａ）は、前記季節に関する情報、前記気象情報及び前記地域に関する情報の少なくとも１つと前記ピーク情報とに基づいて、前記１以上のデフロスト時刻を決定する、
請求項１から２２のいずれかに記載のデフロスト制御システム（１ａ）。
【請求項２３】
前記ピーク情報が入力される第２入力部（８２ａ）をさらに備えた、
請求項１から８のいずれかに記載のデフロスト制御システム（１ａ）。
【請求項２４】
対象物件の総電力に関するトレンドにおけるピークとなる時刻である１以上のピーク時刻に関する情報であるピーク情報を記憶する第１記憶部（７５，１７５，２７５，３３５ａ，・・・）と、
少なくとも前記ピーク情報に基づいて、前記対象物件において冷凍及び冷蔵の少なくとも一方を行う前記冷凍冷蔵装置（５１ａ，・・・）の前記デフロストが行われる時刻である１以上のデフロスト時刻を決定する第１決定部（７３，７３ａ，７３ｂ，７３ｉ，７３ｊ，３３３ａ，・・・）と、
を備えた、デフロスト制御装置（７０，７０ａ，７０ｂ，７０ｉ，７０ｊ，７０ｋ，１７０，２７０，３３０ａ，・・・）。
【請求項２５】
対象物件の総電力に関するトレンドにおいてピークとなる時刻である１以上のピーク時刻に関する情報であるピーク情報が記憶される記憶ステップと、
少なくとも前記ピーク情報に基づいて、前記対象物件において冷凍及び冷蔵の少なくとも一方を行う前記冷凍冷蔵装置（５１ａ，・・・）の前記デフロストが行われる時刻である１以上のデフロスト時刻が決定される決定ステップと、
を備えた、
デフロスト制御方法。
【請求項２６】
前記決定ステップでは、少なくとも前記ピーク情報に基づいて、前記１以上のピーク時刻を避けるように前記１以上のデフロスト時刻が決定される、
請求項２５に記載のデフロスト制御方法。
【請求項２７】
前記決定ステップでは、少なくとも前記ピーク情報に基づいて、前記１以上のピーク時刻に重なるように前記１以上のデフロスト時刻が決定される、
請求項２５に記載のデフロスト制御方法。
【発明の詳細な説明】
【技術分野】
【０００１】
本発明は、デフロスト制御システム、デフロスト制御装置、及びデフロスト制御方法に関する。
【背景技術】
【０００２】
従来から、冷凍及び冷蔵の少なくとも一方を行う冷凍冷蔵装置のデフロストが行われる時刻である１以上のデフロスト時刻を変更可能なシステムが提案されている。
【特許文献１】特開２００１−１９７６６１（第１−９頁、第１−１５図）
【発明の開示】
【発明が解決しようとする課題】
【０００３】
しかし、特許文献１の技術では、対象物件の総電力デマンド値が増加したことに応じて、受動的にデフロスト時刻がシフトされている。ここで、総電力デマンド値は、対象物件の総電力を第１時間について平均した値である。このため、対象物件の総電力デマンド値が減少してデフロストが行われ始めた後に、その総電力デマンド値のピークが来たような場合に、対象物件の総電力デマンド値の最大値が増加することがある。このため、対象物件の電力料金が増加する傾向がある。
【０００４】
本発明の課題は、対象物件の電力料金の増加を低減することができるデフロスト制御システム及びデフロスト制御方法を提供することにある。
【課題を解決するための手段】
【０００５】
第１発明に係るデフロスト制御システムは、第１記憶部と、第１決定部とを備える。第１記憶部は、ピーク情報を記憶する。ピーク情報は、１以上のピーク時刻に関する情報である。ピーク時刻は、対象物件の総電力に関するトレンドにおいてピークとなる時刻である。第１決定部は、少なくともピーク情報に基づいて、１以上のデフロスト時刻を決定する。デフロスト時刻は、冷凍冷蔵装置のデフロストが行われる時刻である。冷凍冷蔵装置は、対象物件において冷凍及び冷蔵の少なくとも一方を行う。
【０００６】
このデフロスト制御システムでは、第１記憶部は、ピーク情報を記憶する。第１決定部は、少なくともピーク情報を受け取ることができる。第１決定部は、少なくともピーク情報に基づいて、１以上のデフロスト時刻を決定する。
このように、第１決定部がピーク情報に基づいてデフロスト時刻を決定するので、対象物件の総電力に関するトレンドにおけるピークを考慮して、デフロスト時刻を決定することができる。このため、対象物件の総電力デマンド値の最大値の増加を低減することができるので、対象物件の電力料金の増加を低減することができる。
【０００７】
第２発明に係るデフロスト制御システムは、第１発明のデフロスト制御システムであって、対象物件の総電力に関するトレンドは、総電力デマンド値のトレンドを含む。総電力デマンド値は、対象物件の総電力を第１時間について平均した値である。
このデフロスト制御システムでは、対象物件の総電力に関するトレンドは、総電力デマンド値のトレンドを含む。すなわち、ピーク時刻は、例えば、総電力デマンド値のトレンドにおいてピークとなる時刻である。第１決定部は、少なくともピーク情報に基づいて、１以上のデフロスト時刻を決定する。
【０００８】
このように、総電力に関するトレンドが総電力デマンド値のトレンドを含むので、対象物件の総電力デマンド値のトレンドにおけるピークを考慮して、１以上のデフロスト時刻を決定することができる。このため、対象物件の総電力デマンド値の最大値の増加を低減することができる。
【０００９】
第３発明に係るデフロスト制御システムは、第１発明または第２発明のデフロスト制御システムであって、第１決定部は、少なくともピーク情報に基づいて、１以上のピーク時刻を避けるように１以上のデフロスト時刻を決定する。
このデフロスト制御システムでは、第１決定部は、少なくともピーク情報を受け取ることができる。第１決定部は、少なくともピーク情報に基づいて、１以上のピーク時刻を避けるように１以上のデフロスト時刻を決定する。
このように、１以上のピーク時刻を避けるように第１決定部が１以上のデフロスト時刻を決定するので、対象物件の総電力デマンド値が小さい時間帯にデフロスト時刻を決定することができる。このため、デフロストが行われることにより対象物件の総電力が増加する場合でも、対象物件の総電力デマンド値の最大値の増加を低減することができる。
【００１０】
第４発明に係るデフロスト制御システムは、第３発明のデフロスト制御システムであって、冷凍冷蔵装置は、冷却部と、加熱部とを有する。加熱部は、冷却部の近傍に設けられており、通電が行われることによって加熱する。そして、デフロストは、デフロスト時刻において加熱部に通電が行われることによって実行される。
このデフロスト制御システムでは、デフロストが、デフロスト時刻において加熱部に通電が行われることによって実行される。
【００１１】
このように、デフロストに通電が必要となるので、対象物件の総電力が増加する傾向にある。この場合でも、１以上のピーク時刻を避けるように第１決定部が１以上のデフロスト時刻を決定するので、対象物件の総電力デマンド値が小さい時間帯に制御部がデフロストを行わせることができる。このため、対象物件の総電力デマンド値の最大値の増加を低減することができる。
【００１２】
第５発明に係るデフロスト制御システムは、第３発明のデフロスト制御システムであって、冷凍冷蔵装置は、冷凍冷蔵運転時に蒸発器として機能する熱交換器を有する。そして、デフロストは、デフロスト時刻において熱交換器を凝縮器として機能させることによって実行される。
このデフロスト制御システムでは、デフロストが、デフロスト時刻において熱交換器を凝縮器として機能させることによって実行される。
【００１３】
このように、デフロストが行われる場合に熱交換器が凝縮器として働くので、デフロストが行われることにより対象物件の総電力が増加する傾向にある。この場合でも、１以上のピーク時刻を避けるように第１決定部が１以上のデフロスト時刻を決定するので、対象物件の総電力デマンド値が小さい時間帯に制御部がデフロストを行わせることができる。このため、対象物件の総電力デマンド値の最大値の増加を低減することができる。
【００１４】
第６発明に係るデフロスト制御システムは、第１発明または第２発明のデフロスト制御システムであって、第１決定部は、少なくともピーク情報に基づいて、１以上のピーク時刻に重なるように１以上のデフロスト時刻を決定する。
このデフロスト制御システムでは、第１決定部は、少なくともピーク情報を受け取ることができる。第１決定部は、少なくともピーク情報に基づいて、１以上のピーク時刻に重なるように１以上のデフロスト時刻を決定する。
【００１５】
このように、１以上のピーク時刻に重なるように第１決定部が１以上のデフロスト時刻を決定するので、対象物件の総電力デマンド値が大きい時間帯にデフロスト時刻を決定することができる。このため、デフロストが行われることにより対象物件の総電力が減少する場合でも、対象物件の総電力デマンド値の最大値の増加を低減することができる。
【００１６】
第７発明に係るデフロスト制御システムは、第６発明のデフロスト制御システムであって、第１決定部は、１以上のピーク時刻の直前を避けるように１以上のデフロスト時刻を決定する。
このデフロスト制御システムでは、第１決定部は、少なくともピーク情報に基づいて、１以上のピーク時刻に重なるように１以上のデフロスト時刻を決定する。第１決定部は、少なくともピーク情報に基づいて、さらに、１以上のピーク時刻の直前を避けるように１以上のデフロスト時刻を決定する。
このように、さらに、１以上のピーク時刻の直前を避けるように第１決定部が１以上のデフロスト時刻を決定するので、対象物件の総電力デマンド値が大きい時間帯とデフロスト時刻の直後のタイミングとが重なることを低減できる。このため、対象物件の総電力デマンド値の最大値の増加を低減することができる。
【００１７】
第８発明に係るデフロスト制御システムは、第６発明または第７発明のデフロスト制御システムであって、デフロストは、冷凍冷蔵装置が停止されることによって実行される。
このデフロスト制御システムでは、デフロストが、冷凍冷蔵装置が停止されることによって実行される。
このように、デフロストにおいて冷凍冷蔵装置が停止されるので、デフロストが行われることにより対象物件の総電力が減少する傾向にある。この場合に、１以上のピーク時刻に重なるように第１決定部が１以上のデフロスト時刻を決定するので、対象物件の総電力デマンド値が大きい時間帯に制御部がデフロストを行わせることができる。このため、対象物件の総電力デマンド値の最大値の増加を低減することができる。
【００１８】
第９発明に係るデフロスト制御システムは、第１発明から第８発明のいずれかのデフロスト制御システムであって、第１検知部と、第２決定部とをさらに備える。第１検知部は、対象物件の総電力デマンド値を検知する。第２決定部は、対象物件の総電力デマンド値に基づいて、ピーク情報を決定する。
このデフロスト制御システムでは、第１検知部は、対象物件の総電力デマンド値を検知する。第２決定部は、対象物件の総電力デマンド値の情報を受け取ることができる。第２決定部は、対象物件の総電力デマンド値に基づいて、ピーク情報を決定する。
【００１９】
このように、第２決定部が対象物件の総電力デマンド値に基づいてピーク情報を決定するので、対象物件の総電力デマンド値のトレンドにおけるピークを考慮して、１以上のデフロスト時刻が決定されるようにすることができる。
【００２０】
第１０発明に係るデフロスト制御システムは、第１発明から第８発明のいずれかのデフロスト制御システムであって、対象物件の総電力に関するトレンドは、総電力デマンド値に関するトレンドと第１電力デマンド値に関するトレンドとを含む。総電力デマンド値は、対象物件の総電力を第１時間について平均した値である。第１電力デマンド値は、対象物件におけるデフロストに要する電力を第１時間について平均した値である。デフロスト制御システムは、第１検知部と、第３決定部とをさらに備える。第１検知部は、対象物件の総電力デマンド値を検知する。第３決定部は、対象物件の総電力デマンド値と第１電力デマンド値とに基づいて、ピーク情報を決定する。第１電力デマンド値は、対象物件におけるデフロストに要する電力を第１時間について平均した値である。
このデフロスト制御システムでは、第１検知部は、対象物件の総電力デマンド値を検知する。第３決定部は、対象物件の総電力デマンド値の情報と第１電力デマンド値の情報とを受け取ることができる。第３決定部は、対象物件の総電力デマンド値と第１電力デマンド値とに基づいて、ピーク情報を決定する。ここで、対象物件の総電力に関するトレンドは、総電力デマンド値と第１電力デマンド値とに関するトレンドを含む。すなわち、ピーク情報は、例えば、総電力デマンド値と第１電力デマンド値とに関するトレンドにおいてピークとなる時刻に関する情報である。
【００２１】
このように、第３決定部が対象物件の総電力デマンド値と第１電力デマンド値とに基づいてピーク情報を決定するので、総電力デマンド値と第１電力デマンド値とに関するトレンドにおけるピークを考慮して、１以上のデフロスト時刻が決定されるようにすることができる。この結果、対象物件の総電力デマンド値の最大値の増加を低減できる。
【００２２】
第１１発明に係るデフロスト制御システムは、第１０発明のデフロスト制御システムであって、第３入力部をさらに備える。第３入力部には、第１電力デマンド値が入力される。
このデフロスト制御システムでは、第３入力部に、第１電力デマンド値が入力される。第３決定部は、第３入力部に入力された第１電力デマンド値の情報を受け取ることができる。
このように、第３入力部に第１電力デマンド値が入力されるので、対象物件の総電力デマンド値と第１電力デマンド値とに基づいてピーク情報を決定することができる。
【００２３】
第１２発明に係るデフロスト制御システムは、第１０発明のデフロスト制御システムであって、第２検知部をさらに備える。第２検知部は、第１電力デマンド値を検知する。
このデフロスト制御システムでは、第２検知部は、第１電力デマンド値を検知する。第３決定部は、第２検知部が検知した第１電力デマンド値の情報を受け取ることができる。
このように、第２検知部が第１電力デマンド値を検知するので、対象物件の総電力デマンド値と第１電力デマンド値とに基づいてピーク情報を決定することができる。
【００２４】
第１３発明に係るデフロスト制御システムは、第１発明から第８発明のいずれかのデフロスト制御システムであって、対象物件の総電力に関するトレンドは、第２電力デマンド値に関するトレンドを含む。第２電力デマンド値は、空気調和装置並びに冷凍冷蔵装置の少なくとも一方の電力を第１時間について平均した値である。空気調和装置は、冷凍冷蔵装置の周辺空間を空気調和する。デフロスト制御システムは、第３検知部と、第４決定部とをさらに備える。第３検知部は、第２電力デマンド値を検知する。第２電力デマンド値は、空気調和装置並びに冷凍冷蔵装置の少なくとも一方の電力を第１時間について平均した値である。空気調和装置は、冷凍冷蔵装置の周辺空間を空気調和する。第４決定部は、対象物件の第２電力デマンド値に基づいて、ピーク情報を決定する。
【００２５】
このデフロスト制御システムでは、第３検知部は、第２電力デマンド値を検知する。第４決定部は、第２電力デマンド値の情報を受け取ることができる。第４決定部は、対象物件の第２電力デマンド値に基づいて、ピーク情報を決定する。ここで、対象物件の総電力に関するトレンドは、第２電力デマンド値に関するトレンドを含む。すなわち、ピーク情報は、例えば、第２電力デマンド値に関するトレンドにおいてピークとなる時刻に関する情報である。
【００２６】
このように、第４決定部が対象物件の第２電力デマンド値に基づいてピーク情報を決定するので、対象物件の第２電力デマンド値のトレンドにおけるピークを考慮して、１以上のデフロスト時刻が決定されるようにすることができる。この結果、対象物件の総電力デマンド値の最大値の増加を低減できる。
【００２７】
第１４発明に係るデフロスト制御システムは、第１発明から第１３発明のいずれかのデフロスト制御システムであって、対象物件の総電力に関するトレンドは、第２時間におけるトレンドを含む。
このデフロスト制御システムでは、対象物件の総電力に関するトレンドは、第２時間におけるトレンドを含む。すなわち、ピーク情報は、例えば、対象物件の第２時間における総電力に関するトレンドにおいて、ピークとなる時刻に関する情報である。
このように、対象物件の総電力に関するトレンドが第２時間におけるトレンドを含むので、対象物件の第２時間における総電力に関するトレンドにおけるピークを考慮して、デフロスト時刻を決定することができる。このため、対象物件の第２時間における総電力デマンド値の最大値の増加を低減することができる。
【００２８】
第１５発明に係るデフロスト制御システムは、第１４発明のデフロスト制御システムであって、デフロスト時刻は、第２時間において複数存在する。デフロスト制御システムは、第２記憶部をさらに備える。第２記憶部は、上限間隔を記憶する。上限間隔は、デフロスト時刻の時間間隔の上限である。第１決定部は、上限間隔とピーク情報とに基づいて、１以上のデフロスト時刻を決定する。
【００２９】
このデフロスト制御システムでは、第２記憶部は、上限間隔を記憶する。第１決定部は、上限間隔の情報とピーク情報とを受け取ることができる。第１決定部は、上限間隔とピーク情報とに基づいて、１以上のデフロスト時刻を決定する。
このように、第１決定部が上限間隔とピーク情報とに基づいて１以上のデフロスト時刻を決定するので、適切な間隔でデフロスト運転が行われるように、各デフロスト時刻を決定することができる。
【００３０】
第１６発明に係るデフロスト制御システムは、第１５発明のデフロスト制御システムであって、第２記憶部は、下限間隔をさらに記憶する。下限間隔は、デフロスト時刻の時間間隔の下限である。第１決定部は、上限間隔と下限間隔とピーク情報とに基づいて、１以上のデフロスト時刻を決定する。
このデフロスト制御システムでは、第２記憶部は、上限間隔を記憶する。第２記憶部は、下限間隔をさらに記憶する。第１決定部は、上限間隔の情報と下限間隔の情報とピーク情報とを受け取ることができる。第１決定部は、上限間隔と下限間隔とピーク情報とに基づいて、１以上のデフロスト時刻を決定する。
【００３１】
このように、第１決定部が上限間隔と下限間隔とピーク情報とに基づいて１以上のデフロスト時刻を決定するので、さらに適切な間隔でデフロスト運転が行われるように、各デフロスト時刻を決定することができる。
【００３２】
第１７発明に係るデフロスト制御システムは、第１４発明のデフロスト制御システムであって、ピーク時刻は、第２時間において複数存在する。デフロスト制御システムは、第３記憶部をさらに備える。第３記憶部は、ピーク数を記憶する。ピーク数は、複数のピーク時刻のうちピーク情報に含められるピーク時刻の数である。第１決定部は、デフロスト間隔とピーク数とピーク情報とに基づいて、１以上のデフロスト時刻を決定する。
このデフロスト制御システムでは、第３記憶部は、ピーク数を記憶する。第１決定部は、デフロスト間隔の情報とピーク数の情報とピーク情報とを受け取ることができる。第１決定部は、デフロスト間隔とピーク数とピーク情報とに基づいて、１以上のデフロスト時刻を決定する。
このように、第１決定部がデフロスト間隔とピーク数とピーク情報とに基づいて１以上のデフロスト時刻を決定するので、ピーク数のピーク時刻を考慮して、各デフロスト時刻を決定することができる。このため、対象物件の総電力デマンド値が小さい時間帯にデフロスト時刻を決定することができる。
【００３３】
第１８発明に係るデフロスト制御システムは、第１４発明のデフロスト制御システムであって、第４記憶部をさらに備える。第４記憶部は、下限回数を記憶する。下限回数は、第２時間におけるデフロスト時刻の回数の下限である。第１決定部は、下限回数とピーク情報とに基づいて、１以上のデフロスト時刻を決定する。
このデフロスト制御システムでは、第４記憶部は、下限回数を記憶する。第１決定部は、下限回数の情報とピーク情報とを受け取ることができる。第１決定部は、下限回数とピーク情報とに基づいて、１以上のデフロスト時刻を決定する。
【００３４】
このように、第１決定部が下限回数とピーク情報とに基づいて１以上のデフロスト時刻を決定するので、適切な回数のデフロスト運転が行われるように、各デフロスト時刻を決定することができる。
【００３５】
第１９発明に係るデフロスト制御システムは、第１８発明のデフロスト制御システムであって、第４記憶部は、上限回数をさらに記憶する。上限回数は、第２時間におけるデフロスト時刻の回数の上限である。第１決定部は、下限回数と上限回数とピーク情報とに基づいて、１以上のデフロスト時刻を決定する。
このデフロスト制御システムでは、第４記憶部は、下限回数を記憶する。第４記憶部は、上限回数をさらに記憶する。第１決定部は、下限回数の情報と上限回数の情報とピーク情報とを受け取ることができる。第１決定部は、下限回数と上限回数とピーク情報とに基づいて、１以上のデフロスト時刻を決定する。
このように、第１決定部が下限回数と上限回数とピーク情報とに基づいて１以上のデフロスト時刻を決定するので、さらに適切な回数のデフロスト運転が行われるように、各デフロスト時刻を決定することができる。
【００３６】
第２０発明に係るデフロスト制御システムは、第１発明から第１９発明のいずれかのデフロスト制御システムであって、第４検知部をさらに備える。第４検知部は、イベント情報を検知する。イベント情報は、対象物件におけるイベントの発生状況に関する情報である。第１決定部は、ピーク情報とイベント情報とに基づいて、１以上のデフロスト時刻を決定する。
【００３７】
このデフロスト制御システムでは、第４検知部は、イベント情報を検知する。第１決定部は、ピーク情報とイベント情報とを受け取ることができる。第１決定部は、ピーク情報とイベント情報とに基づいて、１以上のデフロスト時刻を決定する。
このように、ピーク情報とイベント情報とに基づいて第１決定部が１以上のデフロスト時刻を決定するので、対象物件の総電力に関するトレンドにおけるピークと、イベントの発生状況とを考慮して、１以上のデフロスト時刻を決定することができる。
【００３８】
第２１発明に係るデフロスト制御システムは、第１発明から第１９発明のいずれかのデフロスト制御システムであって、第４入力部をさらに備える。第４入力部には、イベント情報が入力される。イベント情報は、対象物件におけるイベントの発生状況に関する情報である。第１決定部は、ピーク情報とイベント情報とに基づいて、１以上のデフロスト時刻を決定する。
【００３９】
このデフロスト制御システムでは、第４入力部に、イベント情報が入力される。第１決定部は、ピーク情報とイベント情報とを受け取ることができる。第１決定部は、ピーク情報とイベント情報とに基づいて、１以上のデフロスト時刻を決定する。
このように、ピーク情報とイベント情報とに基づいて第１決定部が１以上のデフロスト時刻を決定するので、対象物件の総電力に関するトレンドにおけるピークと、イベントの発生状況とを考慮して、１以上のデフロスト時刻を決定することができる。
【００４０】
第２２発明に係るデフロスト制御システムは、第１発明から第２２発明のいずれかのデフロスト制御システムであって、第１入力部をさらに備える。第１入力部には、季節に関する情報、気象情報及び地域に関する情報の少なくとも１つ（以下、季節情報等）が入力される。第１決定部は、季節情報等とピーク情報とに基づいて、１以上のデフロスト時刻を決定する。
【００４１】
このデフロスト制御システムでは、第１入力部に、季節情報等が入力される。第１決定部は、季節情報等とピーク情報とを受け取ることができる。第１決定部は、季節情報等とピーク情報とに基づいて、１以上のデフロスト時刻を決定する。
このように、第１決定部が季節情報等とピーク情報とに基づいてデフロスト時刻を決定するので、季節等の変化に応じて対象物件の総電力に関するトレンドが変わる場合でも、対象物件の総電力に関するトレンドにおけるピークを考慮して、デフロスト時刻を決定することができる。
【００４２】
第２３発明に係るデフロスト制御システムは、第１発明から第８発明のいずれかのデフロスト制御システムであって、第２入力部をさらに備える。第２入力部には、ピーク情報が入力される。
このデフロスト制御システムでは、第２入力部に、ピーク情報が入力される。第１決定部は、少なくともピーク情報を受け取ることができる。
【００４３】
このように、第２入力部にピーク情報が入力されるので、ピーク情報に基づいて１以上のデフロスト時刻が決定されるようにすることができる。
【００４４】
第２４発明に係るデフロスト制御装置は、第１記憶部と、第１決定部とを備える。第１記憶部は、ピーク情報を記憶する。ピーク情報は、１以上のピーク時刻に関する情報である。ピーク時刻は、対象物件の総電力に関するトレンドにおいてピークとなる時刻である。第１決定部は、少なくともピーク情報に基づいて、１以上のデフロスト時刻を決定する。デフロスト時刻は、冷凍冷蔵装置のデフロストが行われる時刻である。冷凍冷蔵装置は、対象物件において冷凍及び冷蔵の少なくとも一方を行う。
このデフロスト制御装置では、第１記憶部は、ピーク情報を記憶する。第１決定部は、少なくともピーク情報を受け取ることができる。第１決定部は、少なくともピーク情報に基づいて、１以上のデフロスト時刻を決定する。
このように、第１決定部がピーク情報に基づいて１以上のデフロスト時刻を決定するので、対象物件の総電力に関するトレンドにおけるピークを考慮して、１以上のデフロスト時刻を決定することができる。このため、対象物件の総電力デマンド値の最大値の増加を低減することができるので、対象物件の電力料金の増加を低減することができる。
【００４５】
第２５発明に係るデフロスト制御方法は、記憶ステップと、決定ステップとを備える。記憶ステップでは、ピーク情報が記憶される。ピーク情報は、１以上のピーク時刻に関する情報である。ピーク時刻は、対象物件の総電力に関するトレンドにおいてピークとなる時刻である。決定ステップでは、少なくともピーク情報に基づいて、１以上のデフロスト時刻が決定される。デフロスト時刻は、冷凍冷蔵装置のデフロストが行われる時刻である。冷凍冷蔵装置は、対象物件において冷凍及び冷蔵の少なくとも一方を行う。
【００４６】
このデフロスト制御方法では、記憶ステップにおいて、ピーク情報が記憶される。決定ステップにおいて、少なくともピーク情報が受け取られ得る。決定ステップにおいて、少なくともピーク情報に基づいて、１以上のデフロスト時刻が決定される。
このように、ピーク情報に基づいて１以上のデフロスト時刻が決定されるので、対象物件の総電力に関するトレンドにおけるピークを考慮して、１以上のデフロスト時刻を決定することができる。このため、対象物件の総電力デマンド値の最大値の増加を低減することができるので、対象物件の電力料金の増加を低減することができる。
【００４７】
第２６発明に係るデフロスト制御方法は、第２５発明のデフロスト制御方法であって、決定ステップでは、少なくともピーク情報に基づいて、１以上のピーク時刻を避けるように１以上のデフロスト時刻が決定される。
このデフロスト制御方法では、決定ステップにおいて、少なくともピーク情報が受け取られ得る。決定ステップにおいて、少なくともピーク情報に基づいて、１以上のピーク時刻を避けるように１以上のデフロスト時刻が決定される。
【００４８】
このように、１以上のピーク時刻を避けるように１以上のデフロスト時刻が決定されるので、対象物件の総電力デマンド値が小さい時間帯にデフロスト時刻を決定することができる。このため、デフロストが行われることにより対象物件の総電力が増加する場合でも、対象物件の総電力デマンド値の最大値の増加を低減することができる。
【００４９】
第２７発明に係るデフロスト制御方法は、第２５発明のデフロスト制御方法であって、決定ステップでは、少なくともピーク情報に基づいて、１以上のピーク時刻に重なるように１以上のデフロスト時刻が決定される。
このデフロスト制御方法では、決定ステップにおいて、少なくともピーク情報が受け取られ得る。決定ステップにおいて、少なくともピーク情報に基づいて、１以上のピーク時刻に重なるように１以上のデフロスト時刻が決定される。
このように、１以上のピーク時刻に重なるように１以上のデフロスト時刻が決定されるので、対象物件の総電力デマンド値が大きい時間帯にデフロスト時刻を決定することができる。このため、デフロストが行われることにより対象物件の総電力が減少する場合でも、対象物件の総電力デマンド値の最大値の増加を低減することができる。
【発明の効果】
【００５０】
第１発明に係るデフロスト制御システムでは、第１決定部がピーク情報に基づいてデフロスト時刻を決定するので、対象物件の総電力に関するトレンドにおけるピークを考慮して、デフロスト時刻を決定することができる。このため、対象物件の総電力デマンド値の最大値の増加を低減することができるので、対象物件の電力料金の増加を低減することができる。
【００５１】
第２発明に係るデフロスト制御システムでは、総電力に関するトレンドが総電力デマンド値のトレンドを含むので、対象物件の総電力デマンド値のトレンドにおけるピークを考慮して、１以上のデフロスト時刻を決定することができる。このため、対象物件の総電力デマンド値の最大値の増加を低減することができる。
第３発明に係るデフロスト制御システムでは、１以上のピーク時刻を避けるように第１決定部が１以上のデフロスト時刻を決定するので、対象物件の総電力デマンド値が小さい時間帯にデフロスト時刻を決定することができる。このため、デフロストが行われることにより対象物件の総電力が増加する場合でも、対象物件の総電力デマンド値の最大値の増加を低減することができる。
【００５２】
第４発明に係るデフロスト制御システムでは、デフロストに通電が必要となるので、対象物件の総電力が増加する傾向にある。この場合でも、１以上のピーク時刻を避けるように第１決定部が１以上のデフロスト時刻を決定するので、対象物件の総電力デマンド値が小さい時間帯に制御部がデフロストを行わせることができる。このため、対象物件の総電力デマンド値の最大値の増加を低減することができる。
【００５３】
第５発明に係るデフロスト制御システムでは、デフロストが行われる場合に熱交換器が凝縮器として働くので、デフロストが行われることにより対象物件の総電力が増加する傾向にある。この場合でも、１以上のピーク時刻を避けるように第１決定部が１以上のデフロスト時刻を決定するので、対象物件の総電力デマンド値が小さい時間帯に制御部がデフロストを行わせることができる。このため、対象物件の総電力デマンド値の最大値の増加を低減することができる。
【００５４】
第６発明に係るデフロスト制御システムでは、１以上のピーク時刻に重なるように第１決定部が１以上のデフロスト時刻を決定するので、対象物件の総電力デマンド値が大きい時間帯にデフロスト時刻を決定することができる。このため、デフロストが行われることにより対象物件の総電力が減少する場合でも、対象物件の総電力デマンド値の最大値の増加を低減することができる。
【００５５】
第７発明に係るデフロスト制御システムでは、さらに、１以上のピーク時刻の直前を避けるように第１決定部が１以上のデフロスト時刻を決定するので、対象物件の総電力デマンド値が大きい時間帯とデフロスト時刻の直後のタイミングとが重なることを低減できる。このため、対象物件の総電力デマンド値の最大値の増加を低減することができる。
第８発明に係るデフロスト制御システムでは、デフロストにおいて冷凍冷蔵装置が停止されるので、デフロストが行われることにより対象物件の総電力が減少する傾向にある。この場合に、１以上のピーク時刻に重なるように第１決定部が１以上のデフロスト時刻を決定するので、対象物件の総電力デマンド値が大きい時間帯に制御部がデフロストを行わせることができる。このため、対象物件の総電力デマンド値の最大値の増加を低減することができる。
【００５６】
第９発明に係るデフロスト制御システムでは、第２決定部が対象物件の総電力デマンド値に基づいてピーク情報を決定するので、対象物件の総電力デマンド値のトレンドにおけるピークを考慮して、１以上のデフロスト時刻が決定されるようにすることができる。
第１０発明に係るデフロスト制御システムでは、第３決定部が対象物件の総電力デマンド値と第１電力デマンド値とに基づいてピーク情報を決定するので、総電力デマンド値に関するトレンドと第１電力デマンド値に関するトレンドとにおけるピークを考慮して、１以上のデフロスト時刻が決定されるようにすることができる。この結果、対象物件の総電力デマンド値の最大値の増加を低減できる。
【００５７】
第１１発明に係るデフロスト制御システムでは、第３入力部に第１電力デマンド値が入力されるので、対象物件の総電力デマンド値と第１電力デマンド値とに基づいてピーク情報を決定することができる。
第１２発明に係るデフロスト制御システムでは、第２検知部が第１電力デマンド値を検知するので、対象物件の総電力デマンド値と第１電力デマンド値とに基づいてピーク情報を決定することができる。
【００５８】
第１３発明に係るデフロスト制御システムでは、第４決定部が対象物件の第２電力デマンド値に基づいてピーク情報を決定するので、対象物件の第２電力デマンド値のトレンドにおけるピークを考慮して、１以上のデフロスト時刻が決定されるようにすることができる。この結果、対象物件の総電力デマンド値の最大値の増加を低減できる。
第１４発明に係るデフロスト制御システムでは、対象物件の総電力に関するトレンドが第２時間におけるトレンドを含むので、対象物件の第２時間における総電力に関するトレンドにおけるピークを考慮して、デフロスト時刻を決定することができる。このため、対象物件の第２時間における総電力デマンド値の最大値の増加を低減することができる。
【００５９】
第１５発明に係るデフロスト制御システムでは、第１決定部が上限間隔とピーク情報とに基づいて１以上のデフロスト時刻を決定するので、適切な間隔でデフロスト運転が行われるように、各デフロスト時刻を決定することができる。
第１６発明に係るデフロスト制御システムでは、第１決定部が上限間隔と下限間隔とピーク情報とに基づいて１以上のデフロスト時刻を決定するので、さらに適切な間隔でデフロスト運転が行われるように、各デフロスト時刻を決定することができる。
【００６０】
第１７発明に係るデフロスト制御システムでは、第１決定部がデフロスト間隔とピーク数とピーク情報とに基づいて１以上のデフロスト時刻を決定するので、ピーク数のピーク時刻を考慮して、各デフロスト時刻を決定することができる。このため、対象物件の総電力デマンド値が小さい時間帯にデフロスト時刻を決定することができる。
第１８発明に係るデフロスト制御システムでは、第１決定部が下限回数とピーク情報とに基づいて１以上のデフロスト時刻を決定するので、適切な回数のデフロスト運転が行われるように、各デフロスト時刻を決定することができる。
【００６１】
第１９発明に係るデフロスト制御システムでは、第１決定部が下限回数と上限回数とピーク情報とに基づいて１以上のデフロスト時刻を決定するので、さらに適切な回数のデフロスト運転が行われるように、各デフロスト時刻を決定することができる。
第２０発明に係るデフロスト制御システムでは、ピーク情報とイベント情報とに基づいて第１決定部が１以上のデフロスト時刻を決定するので、対象物件の総電力に関するトレンドにおけるピークと、イベントの発生状況とを考慮して、１以上のデフロスト時刻を決定することができる。
【００６２】
第２１発明に係るデフロスト制御システムでは、ピーク情報とイベント情報とに基づいて第１決定部が１以上のデフロスト時刻を決定するので、対象物件の総電力に関するトレンドにおけるピークと、イベントの発生状況とを考慮して、１以上のデフロスト時刻を決定することができる。
第２２発明に係るデフロスト制御システムでは、第１決定部が季節情報等とピーク情報とに基づいてデフロスト時刻を決定するので、季節等の変化に応じてデフロスト時刻を変えることができる。このため、季節等の変化に応じて対象物件の総電力に関するトレンドが変わる場合でも、対象物件の総電力に関するトレンドにおけるピークを考慮して、デフロスト時刻を決定することができる。
【００６３】
第２３発明に係るデフロスト制御システムでは、第２入力部にピーク情報が入力されるので、ピーク情報に基づいて１以上のデフロスト時刻が決定されるようにすることができる。
第２４発明に係るデフロスト制御装置では、第１決定部がピーク情報に基づいて１以上のデフロスト時刻を決定するので、対象物件の総電力に関するトレンドにおけるピークを考慮して、１以上のデフロスト時刻を決定することができる。このため、対象物件の総電力デマンド値の最大値の増加を低減することができるので、対象物件の電力料金の増加を低減することができる。
【００６４】
第２５発明に係るデフロスト制御方法では、ピーク情報に基づいて１以上のデフロスト時刻が決定されるので、対象物件の総電力に関するトレンドにおけるピークを考慮して、１以上のデフロスト時刻を決定することができる。このため、対象物件の総電力デマンド値の最大値の増加を低減することができるので、対象物件の電力料金の増加を低減することができる。
【００６５】
第２６発明に係るデフロスト制御方法では、１以上のピーク時刻を避けるように１以上のデフロスト時刻が決定されるので、対象物件の総電力デマンド値が小さい時間帯にデフロスト時刻を決定することができる。このため、デフロストが行われることにより対象物件の総電力が増加する場合でも、対象物件の総電力デマンド値の最大値の増加を低減することができる。
【００６６】
第２７発明に係るデフロスト制御方法では、１以上のピーク時刻に重なるように１以上のデフロスト時刻が決定されるので、対象物件の総電力デマンド値が大きい時間帯にデフロスト時刻を決定することができる。このため、デフロストが行われることにより対象物件の総電力が減少する場合でも、対象物件の総電力デマンド値の最大値の増加を低減することができる。
【発明を実施するための最良の形態】
【００６７】
＜第１実施形態＞
本発明の第１実施形態に係るデフロスト制御システム１の構成図を図１に示す。図１に示すデフロスト制御システム１は、主として、店舗Ａ，Ｂ，・・・において冷凍冷蔵装置５１ａ，５２ａ，・・・，５１ｂ，５２ｂ，・・・のデフロストを制御するシステムである。冷凍冷蔵装置５１ａ，５２ａ，・・・，５１ｂ，５２ｂ，・・・は、冷凍及び冷蔵を行い、ショーケース６１ａ，６２ａ，・・・，６１ｂ，６２ｂ，・・・内の温度を調節する。なお、店舗Ａ，・・・には、冷凍冷蔵装置５１ａ，・・・が設けられているショーケース６１ａ，６２ａ，・・・，６１ｂ，６２ｂ，・・・の他に、空気調和装置１１ａ，１１ｂ，・・・や他の設備機器１２ａ，１２ｂ，・・・などが設置されている。ここで、空気調和装置１１ａ，・・・は、冷凍冷蔵装置５１ａ，５２ａ，・・・の周辺空間を空気調和する。
【００６８】
（デフロスト制御システムの全体構成）
デフロスト制御システム１は、主として、第１デマンド計群９４（９４ａ，９４ｂ，・・・）、第１回線５、第２回線群６（６ａ，６ｂ，・・・）、第３回線群７（７ａ，７ｂ，・・・）、第４回線群８（８ａ，８ｂ，・・・）、モデム群２０（２０ａ，２０ｂ，・・・）、ＬＣ群３０（３０ａ，３０ｂ，・・・）及び管理センター７０を備える。
【００６９】
管理センター７０とモデム群２０（２０ａ，２０ｂ，・・・）とは、第１回線５で接続されている。モデム群２０（２０ａ，２０ｂ，・・・）とＬＣ群３０（３０ａ，３０ｂ，・・・）とは、第３回線群７（７ａ，７ｂ，・・・）で接続されている。ＬＣ群３０（３０ａ，３０ｂ，・・・）と冷凍冷蔵装置５１ａ，５２ａ，・・・とは、第２回線群６（６ａ，６ｂ，・・・）で接続されている。第１デマンド計群９４（９４ａ，９４ｂ，・・・）とＬＣ群３０（３０ａ，３０ｂ，・・・）とは、第４回線群８（８ａ，８ｂ，・・・）で接続されている。
【００７０】
冷凍冷蔵装置５１ａ，５２ａ，・・・，５１ｂ，５２ｂ，・・・は、ショーケース６１ａ，６２ａ，・・・，６１ｂ，６２ｂ，・・・に設置されている。管理センター７０は、第１回線５とモデム群２０（２０ａ，２０ｂ，・・・）と第３回線群７（７ａ，７ｂ，・・・）とＬＣ群３０（３０ａ，３０ｂ，・・・）と第２回線群６（６ａ，６ｂ，・・・）とを経由して、ショーケース６１ａ，６２ａ，・・・，６１ｂ，６２ｂ，・・・内の温度を、冷凍冷蔵装置５１ａ，・・・に調節させる。また、管理センター７０は、第１回線５とモデム群２０（２０ａ，２０ｂ，・・・）と第３回線群７（７ａ，７ｂ，・・・）とＬＣ群３０（３０ａ，３０ｂ，・・・）と第２回線群６（６ａ，６ｂ，・・・）とを経由して、ショーケース６１ａ，・・・にデフロストを行わせる。
【００７１】
ここで、デフロストとは、蒸発器に発生した霜を除去することである。具体的には、図２に示すように、冷凍冷蔵装置５１ａ，・・・の冷媒回路は、主として、ショーケース６１ａの外部に設置される圧縮機５１６ａ、第２熱交換器５１３ａ及び膨張弁５１２ａと、ショーケース６１ａの内部に設置される第１熱交換器５１１ａとを有する。その冷媒回路において、圧縮機５１６ａで圧縮された高温高圧冷媒が第２熱交換器５１３ａで凝縮されて熱を放出する。そして低温となった冷媒が膨張弁５１２ａで減圧され第１熱交換器５１１ａで蒸発する。このとき、第１熱交換器５１１ａを流れる冷媒がショーケース６１ａに供給される空気と熱交換することにより、ショーケース６１ａの内部が冷凍・冷蔵される。しかし、ショーケース６１ａの内部の湿度が高いような場合、第１熱交換器５１１ａには、霜が付着する傾向がある。そして、第１熱交換器５１１ａの表面を霜が覆ってしまうと、第１熱交換器５１１ａの熱交換能力が低下するおそれがある。このため、冷凍冷蔵装置５１ａ，・・・は、さらにヒーター５１７ａを有しており、そのヒーター５１７ａで第１熱交換器５１１ａを加熱することにより霜を除去する。なお、このとき、圧縮機５１６ａは停止される。このようにして、第１熱交換器５１１ａの熱交換能力の低下を抑えている。ただし、ショーケース６１ａ，・・・においてデフロストが行われる際にヒーター５１７ａが加熱を行うので、冷凍冷蔵装置５１ａ，・・・は、ヒーター５１７ａが消費する電力の分だけ余分に電力を消費することになる。このため、ショーケース６１ａ，・・・においてデフロストが行われると、ヒーターの電力の分だけ店舗Ａ，・・・の総電力が増加することになる。
【００７２】
（第１デマンド計群の構成）
第１デマンド計群９４（９４ａ，９４ｂ，・・・）は、電力供給設備群９０に備えられている。電力供給設備群９０は、電力供給源９１、第１電力供給線９２及び第２電力供給線９３ａ，９３ｂ，・・・をさらに備えている。電力供給源９１は、第１電力供給線９２、第２電力供給線９３ａ，９３ｂ，・・・及び第１デマンド計９４ａ，９４ｂ，・・・を介して、ショーケース６１ａ，・・・、空気調和装置１１ａ，・・・及び他の設備機器１２ａ，・・・などに接続されている。なお、第１デマンド計９４ａ，９４ｂ，・・・は、店舗Ａ，・・・ごとに設けられている。
【００７３】
ショーケース６１ａ，・・・、空気調和装置１１ａ，・・・及び他の設備機器１２ａ，・・・などは、第１電力供給線９２、第２電力供給線９３ａ，９３ｂ，・・・及び第１デマンド計９４ａ，９４ｂ，・・・を経由して、電力供給源９１から電力の供給を受ける。この供給される電力の電力デマンド値は、第１デマンド計９４ａ，９４ｂ，・・・により計測されるようになっている。すなわち、第１デマンド計９４ａ，９４ｂ，・・・は、店舗Ａ，・・・の総電力デマンド値を検知する。ここで、総電力デマンド値は、店舗Ａ，・・・の総電力を各３０分間について平均した値である。
【００７４】
そして、第１デマンド計９４ａ，９４ｂ，・・・は、店舗Ａ，・・・の総電力デマンド値の情報を第４回線８ａ，・・・経由でＬＣ３０ａ，・・・へ送信する。
（管理センターの構成）
管理センター７０は、図３に示すように、送受信部７１，制御部７２，第１決定部７３，第２決定部７４，第１記憶部７５，第２記憶部７６，第３記憶部７７，第４記憶部７８及び第５入力部７９を備える。
【００７５】
第５入力部７９には、上限間隔と下限間隔とが入力される。ここで、上限間隔は、デフロスト時刻の時間間隔の上限である。下限間隔は、デフロスト時刻の時間間隔の下限である。デフロスト時刻は、ショーケース６１ａ，・・・においてデフロストが行われる時刻である。制御部７２は、上限間隔の情報と下限間隔の情報とを第５入力部７９から受け取り第２記憶部７６へ渡す。第２記憶部７６は、上限間隔と下限間隔とを記憶する。
【００７６】
また、第５入力部７９には、ピーク数が入力される。ここで、ピーク数は、複数のピーク時刻のうち後述のピーク情報に含められるピーク時刻の数である。ピーク時刻は、店舗Ａ，・・・の総電力デマンド値のトレンドにおいてピークとなる時刻である。制御部７２は、ピーク数の情報を第５入力部７９から受け取り、第３記憶部７７へ渡す。第３記憶部７７は、ピーク数を記憶する。
【００７７】
さらに、第５入力部７９には、下限回数と上限回数とが入力される。ここで、下限回数は、１日に行われるデフロストの回数の下限、すなわち、１日におけるデフロスト時刻の回数の下限である。上限回数は、１日に行われるデフロストの回数の上限、すなわち、１日におけるデフロスト時刻の回数の上限である。制御部７２は、下限回数の情報と上限回数の情報とを第５入力部７９から受け取り第４記憶部７８へ渡す。第４記憶部７８は、下限回数と上限回数とを記憶する。
【００７８】
送受信部７１は、店舗Ａ，・・・の総電力デマンド値の情報を、第１回線５経由でモデム２０ａ，・・・から受信する。制御部７２は、店舗Ａ，・・・の総電力デマンド値の情報を、送受信部７１から受け取る。そして、制御部７２は、店舗Ａ，・・・の各３０分の総電力デマンド値の情報を第１記憶部７５へ渡す。第１記憶部７５は、１日における店舗Ａ，・・・の各３０分の総電力デマンド値の情報を記憶する。
【００７９】
第２決定部７４は、１日における店舗Ａ，・・・の各３０分の総電力デマンド値の情報を制御部７２経由で第１記憶部７５から受け取る。また、第２決定部７４は、ピーク数の情報を制御部７２経由で第３記憶部７７から受け取る。第２決定部７４は、１日における店舗Ａ，・・・の各３０分の総電力デマンド値の情報と、ピーク数の情報とに基づいて、ピーク情報を決定する。ここで、ピーク情報は、１以上のピーク時刻に関する情報である。ピーク時刻は、店舗Ａ，・・・の総電力デマンド値のトレンドにおいてピークとなる時刻である。具体的には、第２決定部７４は、１日における店舗Ａ，・・・の各３０分の総電力デマンド値が大きいものから、上位ピーク数の値を選択してピーク情報とする。制御部７２は、ピーク情報を第２決定部７４から受け取り、第１記憶部７５へ渡す。第１記憶部７５は、ピーク情報を記憶する。
【００８０】
第１決定部７３は、ピーク情報を制御部７２経由で第１記憶部７５から受け取り、上限間隔の情報と下限間隔の情報とを制御部７２経由で第２記憶部７６から受け取り、ピーク数の情報を制御部７２経由で第３記憶部７７から受け取り、下限回数の情報と上限回数の情報とを制御部７２経由で第４記憶部７８から受け取る。
ここで、仮に、店舗Ａ，・・・の総電力デマンド値が大きい時間帯にデフロスト時刻が決定されると、店舗Ａ，・・・の総電力がヒーターの消費電力の分だけさらに増加することになり、店舗Ａ，・・・の１日における総電力デマンド値の最大値が増加するおそれがある。
【００８１】
しかし、本発明では、第１決定部７３は、上限間隔と下限間隔と下限回数と上限回数とピーク数とピーク情報とに基づいて、１以上のピーク時刻を避けるように、デフロスト時刻を決定する。具体的には、第１決定部７３は、下限回数以上上限回数以下となるように、デフロスト回数を決める。ここで、デフロスト回数は、１日においてデフロストが行われる回数である。また、第１決定部７３は、下限間隔以上上限間隔以下となるように、デフロスト間隔を決める。ここで、デフロスト間隔は、デフロストが行われる時間間隔である。第１決定部７３は、デフロスト間隔だけ互いに離れているデフロスト回数分のデフロスト時刻の間に各ピーク時刻がくるように、各デフロスト時刻を決定する。これにより、店舗Ａ，・・・の総電力デマンド値が小さい時間帯にデフロスト時刻が決定される。
【００８２】
制御部７２は、各デフロスト時刻の情報を第１決定部７３から受け取り、デフロストの指令情報を生成して送受信部７１へ渡す。送受信部７１は、デフロストの指令情報を第１回線５経由で店舗Ａ，・・・へ送信する。
（モデム群の構成）
図１に示すモデム群２０（２０ａ，２０ｂ，・・・）は、第１回線５と第３回線群７（７ａ，７ｂ，・・・）とを接続している。ここで、第１回線５はアナログ回線（例えば、電話回線）であり、第３回線群７（７ａ，７ｂ，・・・）はデジタル回線（例えば、ＲＳ−２３２Ｃ回線）である。
【００８３】
各モデム２０ａ，２０ｂ，・・・は、アナログ回線の信号とデジタル回線の信号とを相互に変換する通常のモデムである。すなわち、モデム２０ａ，・・・は、第１回線５の信号と第２回線６ａ，・・・の信号とを相互に変換する。
モデム２０ａ，・・・は、デフロストの指令情報（アナログ信号）を、第１回線５経由で管理センター７０から受け取り、デフロストの指令情報（デジタル信号）へ変換する。モデム２０ａ，・・・は、デフロストの指令情報（デジタル信号）を第２回線６ａ，・・・経由でＬＣ３１ａ，３２ａ，・・・へ送信する。
【００８４】
（ＬＣ群の構成）
ＬＣ群３０（３０ａ，３０ｂ，・・・）は、第３回線群７（７ａ，７ｂ，・・・）を介してモデム群２０（２０ａ，・・・）に接続されており、第２回線群６（６ａ，・・・）を介して冷凍冷蔵装置５１ａ，・・・に接続されている。
各ＬＣ３０ａ，・・・は、店舗Ａ，・・・の総電力デマンド値の情報を、第４回線８ａ経由で第１デマンド計９４ａ，・・・から受信する。また、ＬＣ３０ａ，・・・は、店舗Ａ，・・・の総電力デマンド値の情報を、第２回線７ａ，・・・とモデム２０ａ，・・・と第１回線５とを経由して管理センター１７０へ送信する。
【００８５】
一方、各ＬＣ３０ａ，・・・は、デフロストの指令情報を第３回線７ａ，・・・経由でモデム２０ａ，・・・から受け取る。ＬＣ３０ａ，・・・は、デフロストの指令情報を、冷凍冷蔵装置５１ａ，・・・が読み取り可能なフォーマットに変換して、第２回線６ａ，・・・経由で冷凍冷蔵装置５１ａ，・・・へ送信する。冷凍冷蔵装置５１ａ，・・・は、デフロストの指令情報を第２回線６ａ，・・・経由でＬＣ３０ａ，・・・から受信する。これにより、冷凍冷蔵装置５１ａ，・・・は、デフロストの指令情報に基づいて、所定のデフロスト時刻にデフロストを行う。
【００８６】
（デフロスト制御システムが冷凍冷蔵装置のデフロストを制御する処理の流れ）
デフロスト制御システムがデフロストを制御する処理の流れを、図４に示すフローチャートを用いて説明する。
ステップＳ１では、上限間隔と下限間隔とが記憶される。すなわち、管理センター７０の第５入力部７９に、上限間隔と下限間隔とが入力される。ここで、上限間隔は、デフロスト時刻の時間間隔の上限である。下限間隔は、デフロスト時刻の時間間隔の下限である。デフロスト時刻は、ショーケース６１ａ，・・・においてデフロストが行われる時刻である。制御部７２は、上限間隔の情報と下限間隔の情報とを第５入力部７９から受け取り第２記憶部７６へ渡す。第２記憶部７６は、上限間隔と下限間隔とを記憶する。
【００８７】
ステップＳ２では、ピーク数が記憶される。すなわち、管理センター７０の第５入力部７９には、ピーク数が入力される。ここで、ピーク数は、複数のピーク時刻のうち後述のピーク情報に含められるピーク時刻の数である。ピーク時刻は、店舗Ａ，・・・の総電力デマンド値のトレンドにおいてピークとなる時刻である。制御部７２は、ピーク数の情報を第５入力部７９から受け取り、第３記憶部７７へ渡す。第３記憶部７７は、ピーク数を記憶する。
【００８８】
ステップＳ３では、下限回数と上限回数とが記憶される。すなわち、管理センター７０の第５入力部７９には、下限回数と上限回数とが入力される。ここで、下限回数は、１日に行われるデフロストの回数の下限、すなわち、１日におけるデフロスト時刻の回数の下限である。上限回数は、１日に行われるデフロストの回数の上限、すなわち、１日におけるデフロスト時刻の回数の上限である。制御部７２は、下限回数の情報と上限回数の情報とを第５入力部７９から受け取り第４記憶部７８へ渡す。第４記憶部７８は、下限回数と上限回数とを記憶する。
【００８９】
ステップＳ４では、ピーク情報が記憶される。すなわち、第１デマンド計９４ａ，９４ｂ，・・・は、店舗Ａ，・・・の総電力デマンド値を検知する。そして、第１デマンド計９４ａ，９４ｂ，・・・は、店舗Ａ，・・・の総電力デマンド値の情報を第１回線５経由で管理センター７０へ送信する。
管理センター７０の送受信部７１は、店舗Ａ，・・・の総電力デマンド値の情報を、第１回線５経由で第１デマンド計９４ａ，９４ｂ，・・・から受信する。制御部７２は、店舗Ａ，・・・の総電力デマンド値の情報を、送受信部７１から受け取る。そして、制御部７２は、店舗Ａ，・・・の各３０分の総電力デマンド値の情報を第１記憶部７５へ渡す。第１記憶部７５は、１日における店舗Ａ，・・・の各３０分の総電力デマンド値の情報を記憶する。
【００９０】
第２決定部７４は、１日における店舗Ａ，・・・の各３０分の総電力デマンド値の情報を制御部７２経由で第１記憶部７５から受け取る。また、第２決定部７４は、ピーク数の情報を制御部７２経由で第３記憶部７７から受け取る。第２決定部７４は、１日における店舗Ａ，・・・の各３０分の総電力デマンド値の情報と、ピーク数の情報とに基づいて、ピーク情報を決定する。ここで、ピーク情報は、１以上のピーク時刻に関する情報である。ピーク時刻は、店舗Ａ，・・・の総電力デマンド値のトレンドにおいてピークとなる時刻である。具体的には、第２決定部７４は、１日における店舗Ａ，・・・の各３０分の総電力デマンド値が大きいものから、上位ピーク数の値を選択してピーク情報とする。制御部７２は、ピーク情報を第２決定部７４から受け取り、第１記憶部７５へ渡す。第１記憶部７５は、ピーク情報を記憶する。
【００９１】
ステップＳ５では、Ｎ＝１にセットされる。すなわち、第１決定部７３は、電力デマンド値順位の変数Ｎを初期値１にセットする。
ステップＳ６では、デフロスト時刻が仮決定される。すなわち、第１決定部７３は、前回の決定内容を制御部７２経由でメモリ（図示せず）に一時記憶させる。また、第１決定部７３は、ピーク情報を制御部７２経由で第１記憶部７５から受け取り、上限間隔の情報と下限間隔の情報とを制御部７２経由で第２記憶部７６から受け取り、ピーク数の情報を制御部７２経由で第３記憶部７７から受け取り、下限回数の情報と上限回数の情報とを制御部７２経由で第４記憶部７８から受け取る。
【００９２】
第１決定部７３は、上限間隔と下限間隔と下限回数と上限回数とピーク数とピーク情報とに基づいて、１以上のピーク時刻を避けるように、デフロスト時刻を決定する。具体的には、第１決定部７３は、下限回数以上上限回数以下となるように、デフロスト回数を決める。ここで、デフロスト回数は、１日においてデフロストが行われる回数である。また、第１決定部７３は、下限間隔以上上限間隔以下となるように、デフロスト間隔を決める。ここで、デフロスト間隔は、デフロストが行われる時間間隔である。第１決定部７３は、デフロスト間隔だけ互いに離れているデフロスト回数分のデフロスト時刻の間に各ピーク時刻がくるように、各デフロスト時刻を決定する。これにより、店舗Ａ，・・・の総電力デマンド値が小さい時間帯にデフロスト時刻が仮決定される。
【００９３】
例えば、デフロスト回数＝２回、デフロスト間隔＝Δｔ、Ｎ＝１である場合、図５（ａ）に示すようにデフロスト時刻が決定される。すなわち、電力デマンド値順位が１位であるピークＰ１のピーク時刻が１２時であるので、デフロスト時刻は、Δｔだけ離れている時刻Ｔ１と時刻Ｔ２とに決定される。ここで、１２時は、時刻Ｔ１と時刻Ｔ２との真ん中の時刻となっていることが好ましい。これにより、店舗Ａ，・・・において、冷凍冷蔵装置５１ａ，・・・の電力は、図５（ｂ）に２点鎖線で示すように変化することになり、冷凍冷蔵装置５１ａ，・・・以外の電力は、図５（ｂ）に１点鎖線で示すように変化することになる。このため、店舗Ａ，・・・の総電力は、図５（ｃ）に実線で示すように変化することになる。この結果、１２時近傍の総電力デマンド値の大きさは、デフロスト時刻を決定する前と同じＷ１のままである。すなわち、総電力デマンド値の最大値の増加が抑えられている。
【００９４】
あるいは、例えば、デフロスト回数＝２回、デフロスト間隔＝Δｔ、Ｎ＝２である場合、図６に示すようにデフロスト時刻が決定される。すなわち、電力デマンド値順位が１位であるピークＰ１のピーク時刻が１２時であり、電力デマンド値順位が２位であるピークＰ２のピーク時刻が１８時であるので、デフロスト時刻は、Δｔだけ離れている時刻Ｔ３と時刻Ｔ４とに決定される。ここで、時刻Ｔ３から１２時までの時間と、１８時から時刻Ｔ４までの時間とは、等しいことが好ましい。
【００９５】
ステップＳ７では、デフロスト時刻がピーク時刻に重なるか否かが判断される。すなわち、第１決定部７３は、デフロスト時刻の前後の所定時間以内にピーク時刻が含まれているか否かが判断される。重なると判断された場合、ステップＳ１０へ進められ、重ならないと判断された場合、ステップＳ８へ進められる。
ステップＳ８では、Ｎがピーク数以上であるか否かが判断される。すなわち、第１決定部７３は、ピーク数の情報を制御部７２経由で第３記憶部７７から受け取る。第１決定部７３は、電力デマンド値順位の変数Ｎの値とピーク数と比較し、Ｎがピーク数以上であるか否かを判断する。Ｎがピーク数以上であると判断された場合、ステップＳ１０へ進められ、Ｎがピーク数以上でないと判断された場合、ステップＳ９へ進められる。
【００９６】
ステップＳ９では、Ｎ＋１がＮにセットされる。すなわち、第１決定部７３は、電力デマンド値順位の変数Ｎの値に１を加えた数を、電力デマンド値順位の変数Ｎの値として新たにセットする。
ステップＳ１０では、前回の決定内容が呼び戻される。すなわち、第１決定部７３は、１時記憶されていた前回の決定内容を制御部７２経由でメモリから呼び戻す。
【００９７】
ステップＳ１１では、デフロスト時刻が決定される。すなわち、第１決定部７３は、デフロスト時刻を確定的に決定する。制御部７２は、各デフロスト時刻の情報を、第１決定部７３から受け取り送受信部７１へ渡す。送受信部７１は、デフロストの指令情報を第１回線５経由で店舗Ａ，・・・へ送信する。
モデム２０ａ，・・・は、デフロストの指令情報（アナログ信号）を、第１回線５経由で管理センター７０から受け取り、デフロストの指令情報（デジタル信号）へ変換する。モデム２０ａ，・・・は、デフロストの指令情報（デジタル信号）を第３回線７ａ，・・・経由でＬＣ３１ａ，３２ａ，・・・へ送信する。
【００９８】
各ＬＣ３０ａ，・・・は、デフロストの指令情報を第３回線７ａ，・・・経由でモデム２０ａ，・・・から受け取る。ＬＣ３０ａ，・・・は、デフロストの指令情報を、冷凍冷蔵装置５１ａ，・・・が読み取り可能なフォーマットに変換して、第２回線６ａ，・・・経由で冷凍冷蔵装置５１ａ，・・・へ送信する。冷凍冷蔵装置５１ａ，・・・は、デフロストの指令情報を第２回線６ａ，・・・経由でＬＣ３０ａ，・・・から受信する。これにより、冷凍冷蔵装置５１ａ，・・・は、デフロストの指令情報に基づいて、所定のデフロスト時刻にデフロストを行う。
【００９９】
（デフロスト制御システムに関する特徴）
（１）
ここでは、第１記憶部７５は、ピーク情報を記憶する。第１決定部７３は、ピーク情報を制御部７２経由で第１記憶部７５から受け取る。第１決定部７３は、ピーク情報などに基づいて、１以上のデフロスト時刻を決定する。
【０１００】
このように、第１決定部７３がピーク情報などに基づいてデフロスト時刻を決定するので、店舗Ａ，・・・の総電力に関するトレンドにおけるピークを考慮して、デフロスト時刻は決定される。このため、店舗Ａ，・・・の総電力デマンド値の最大値の増加が低減するので、店舗Ａ，・・・の電力料金の増加は低減する。
（２）
ここでは、第１決定部７３は、ピーク情報を制御部７２経由で第１記憶部７５から受け取る。第１決定部７３は、ピーク情報などに基づいて、１以上のピーク時刻を避けるように１以上のデフロスト時刻を決定する。
【０１０１】
このように、１以上のピーク時刻を避けるように第１決定部７３が１以上のデフロスト時刻を決定するので、店舗Ａ，・・・の総電力デマンド値が小さい時間帯にデフロスト時刻は決定される。このため、デフロストが行われることにより対象物件の総電力が増加しても、店舗Ａ，・・・の総電力デマンド値の最大値の増加は低減する。
（３）
ここでは、制御部７２は、１以上のデフロスト時刻に基づいて、ショーケース６１ａ，・・・にデフロストを行わせる。ショーケース６１ａ，・・・においてデフロストが行われる際、第１熱交換器５１１ａ，・・・に付着した霜は、ヒーター５１７ａ，・・・で加熱されることによって第１熱交換器５１１ａ，・・・から除去される。
【０１０２】
このように、冷凍冷蔵装置５１ａ，・・・においてデフロストが行われる際、第１熱交換器５１１ａ，・・・に付着した霜がヒータ５１７ａ，・・・で加熱されることにより第１熱交換器５１１ａ，・・・から除去されるので、デフロストが行われることにより店舗Ａ，・・・の総電力が増加する傾向にある。この場合でも、１以上のピーク時刻を避けるように第１決定部７３が１以上のデフロスト時刻を決定するので、店舗Ａ，・・・の総電力デマンド値が小さい時間帯にショーケース６１ａ，・・・においてデフロストが行われることになる。このため、店舗Ａ，・・・の総電力デマンド値の最大値の増加は低減する。
【０１０３】
（４）
ここでは、第１デマンド計９４ａ，・・・は、店舗Ａ，・・・の総電力デマンド値を検知する。第２決定部７４は、第１回線５と送受信部７１と制御部７２とを経由して、店舗Ａ，・・・の総電力デマンド値の情報を第１デマンド計９４ａ，・・・から受け取る。第２決定部７４は、店舗Ａ，・・・の総電力デマンド値などに基づいて、ピーク情報を決定する。
【０１０４】
このように、第２決定部７４が店舗Ａ，・・・の総電力デマンド値などに基づいてピーク情報を決定するので、店舗Ａ，・・・の総電力デマンド値のトレンドにおけるピークを考慮して、１以上のデフロスト時刻を決定することができるようになっている。
（５）
ここでは、店舗Ａ，・・・の総電力デマンド値のトレンドは、１日におけるトレンドである。すなわち、ピーク情報は、店舗Ａ，・・・の１日における総電力デマンド値のトレンドにおいて、ピークとなる時刻に関する情報である。
【０１０５】
このように、店舗Ａ，・・・の総電力デマンド値のトレンドが１日におけるトレンドであるので、店舗Ａ，・・・の１日における総電力デマンド値のトレンドにおけるピークを考慮して、デフロスト時刻は決定される。このため、店舗Ａ，・・・の１日における総電力デマンド値の最大値の増加が低減される。
（６）
ここでは、第２記憶部７６は、上限間隔と下限間隔とを記憶する。第１決定部７３は、上限間隔の情報と下限間隔の情報とを制御部７２経由で第２記憶部７６から受け取り、ピーク情報を制御部７２経由で第１記憶部７５から受け取る。第１決定部は、上限間隔とピーク情報とに基づいて、１以上のデフロスト時刻を決定する。
【０１０６】
このように、第１決定部が上限間隔と下限間隔とピーク情報となどに基づいて１以上のデフロスト時刻を決定するので、適切な間隔でデフロスト運転が行われるように、各デフロスト時刻は決定される。
（７）
ここでは、第３記憶部７７は、ピーク数を記憶する。第１決定部７３は、ピーク数の情報を第３記憶部７７から受け取る。第１決定部７３は、ピーク数とピーク情報となどに基づいて、デフロスト時刻を決定する。
【０１０７】
このように、第１決定部７３がピーク数とピーク情報となどに基づいてデフロスト時刻を決定するので、店舗Ａ，・・・の総電力デマンド値のトレンドにおけるピーク数のピークを考慮して、各デフロスト時刻は決定される。
（８）
このデフロスト制御システムでは、第４記憶部７８は、下限回数と上限回数とを記憶する。第１決定部７３は、下限回数の情報と上限回数の情報とを制御部７２経由で第４記憶部７８から受け取り、ピーク情報を制御部７２経由で第１記憶部７５から受け取る。第１決定部７３は、下限回数と上限回数とピーク情報となどに基づいて、１以上のデフロスト時刻を決定する。
【０１０８】
このように、第１決定部７３が下限回数と上限回数とピーク情報となどに基づいて１以上のデフロスト時刻を決定するので、適切な回数のデフロスト運転が行われるように、各デフロスト時刻は決定される。
（第１実施形態の変形例）
（Ａ）デフロスト制御システム１ａにおいて、管理センター７０ａは、図７に示すように、第１入力部８１ａをさらに備え、第１決定部７３の代わりに第１決定部７３ａを備え、制御部７２の代わりに制御部７２ａを備えていても良い。この場合、第１入力部８１ａには、季節に関する情報、気象情報及び地域に関する情報の少なくとも１つ（以下、季節情報等とする）が入力される。第１決定部７３ａは、季節情報等を制御部７２ａ経由で第１入力部８１ａから受け取る。また、第１決定部７３ａは、ピーク情報を制御部７２ａ経由で第１記憶部７５から受け取る。第１決定部７３ａは、季節情報等とピーク情報となどに基づいて、デフロスト時刻を決定する。
【０１０９】
ここで、管理センター７０ａは、第２記憶部７６の代わりに第２記憶部７６ａを備えていても良い。第２記憶部７６ａは、図８に示す下限回数のテーブル情報を記憶する。そのテーブル情報には、季節欄７６１ａと下限回数欄７６２ａとが設けられている。このテーブル情報を参照することにより、季節に応じて適切な下限回数を決めることができるようになっている。すなわち、冷凍冷蔵装置５１ａ，・・・の第１熱交換器５１１ａに付着する霜の量（着霜量）は、冬より夏の方が多い傾向がある。そこで、ショーケース６１ａ，・・・においてデフロストが行われる際にヒーター５１７ａが１回当たり消費する電力が決められている場合、霜を除去するために最低必要なデフロスト回数（下限回数）も、冬より夏の方が多くなる。つまり、下限回数のテーブル情報では、Ｎ１＞Ｎ２となっている。
【０１１０】
このとき、第１入力部８１ａには、季節に関する情報が入力される。第１決定部７３ａは、季節に関する情報を制御部７２ａ経由で第１入力部８１ａから受け取る。また、第１決定部７３ａは、下限回数のテーブル情報を制御部７２ａ経由で第２記憶部７６ａから受け取る。そして、第１決定部７３ａは、下限回数のテーブル情報と季節に関する情報となどに基づいて、デフロスト間隔を決定する。さらに、第１決定部７３ａは、決定されたデフロスト間隔と、ピーク情報となどに基づいて、デフロスト時刻を決定する。
【０１１１】
このように、第１決定部７３ａが季節情報等とピーク情報となどに基づいてデフロスト時刻を決定するので、季節等の変化に応じて店舗Ａ，・・・の総電力デマンド値のトレンドが変わる場合でも、店舗Ａ，・・・の総電力デマンド値のトレンドにおけるピークを考慮して、デフロスト時刻は決定される。
なお、第１入力部８１ａには、利用者により季節情報等が入力される代わりに、ネットワーク等経由で季節情報等が取得されるようになっていても良い。
【０１１２】
また、第２記憶部７６ａに記憶されるテーブル情報は、季節に関する情報、気象情報及び地域に関する情報の少なくとも１つとデフロスト間隔との関係が記録されたものであっても良い。
なお、冬よりも夏のデフロスト回数を多くするのではなく、冬よりも夏の１回当たりのデフロスト時間を長くするようにしてもよい。さらには、冬よりも夏の１回当たりのデフロスト時間を長くするようにし、加えて冬よりも夏のデフロスト回数を多くするようにしてもかまわない。
【０１１３】
（Ｂ）デフロスト制御システム１ａにおいて、管理センター７０ａは、第２入力部８２ａをさらに備え、第１決定部７３の代わりに第１決定部７３ａを備え、制御部７２の代わりに制御部７２ａを備えていても良い。この場合、第２入力部８２ａには、ピーク情報が入力される。第１決定部７３ａは、ピーク情報を制御部７２ａ経由で第２入力部８２ａから受け取る。第１決定部７３ａは、ピーク情報に基づいて、デフロスト時刻を決定する。
【０１１４】
このように、第２入力部８２ａにピーク情報が入力されるので、ピーク情報が利用者の要望に合ったものになる。そして、利用者の要望に応じてデフロスト時刻を変えるように、デフロスト時刻が決定されることになる。このため、利用者の要望に応じて、店舗Ａ，・・・の総電力デマンド値が小さい時間帯にデフロスト時刻は決定される。
（Ｃ）図９に示すデフロスト制御システム１ｋにおいて、冷凍冷蔵装置５１ａｋ，・・・は、そのヒーターで加熱することにより霜を除去する（ヒーターデフロスト）代わりに、冷媒サイクルを反転させることにより霜を除去（ホットガスデフロスト）しても良い。すなわち、冷凍冷蔵装置５１ａｋ，・・・は、図１１に示すように、四路切替弁５１４ａｋをさらに備えており、冷媒サイクルを反転することができるようになっている。
【０１１５】
すなわち、図１０に示す管理センター７０ｋの制御部７２ｋは、１以上のデフロスト時刻に基づいて、ショーケース６１ａ，・・・にデフロストを行わせる。制御部７２ｋは、ショーケース６１ａの内部の冷凍・冷蔵を冷凍冷蔵装置５１ａｋ，・・・に行わせる場合に、四路切替弁５１４ａｋを実線で示す経路に切り替える。これにより、制御部７２ｋは、第１熱交換器５１１ａ，・・・を蒸発器として働かせる（図１１に実線の矢印で示すサイクル）。
【０１１６】
また、制御部７２ｋは、デフロストをショーケース６１ａ，・・・に行わせる場合に、四路切替弁５１４ａｋを破線で示す経路に切り替える。これにより、制御部７２ｋは、第１熱交換器５１１ａ，・・・を凝縮器として働かせる（図１１に破線の矢印で示すサイクル）。
このように、デフロストが行われる場合に第１熱交換器５１１ａ，・・・が凝縮器として働くので、デフロストが行われることにより店舗Ａ，・・・の総電力が増加する傾向にある。この場合でも、１以上のピーク時刻を避けるように第１決定部７３が１以上のデフロスト時刻を決定するので、店舗Ａ，・・・の総電力デマンド値が小さい時間帯に制御部７２ｋがデフロストを行わせることになる。このため、店舗Ａ，・・・の総電力デマンド値の最大値の増加は低減する。
【０１１７】
（Ｄ）図１２に示すデフロスト制御システム１ｂにおいて、管理センター７０ｂは、図１３に示すように、第１決定部７３の代わりに第１決定部７３ｂを備え、制御部７２の代わりに制御部７２ｂを備えていても良い。また、冷凍冷蔵装置５１ａｂ，・・・は、そのヒーターで加熱することにより霜を除去する代わりに、オフされることにより霜を除去（オフサイクルデフロスト）しても良い。
【０１１８】
すなわち、管理センター７０ｂの制御部７２ｂは、１以上のデフロスト時刻に基づいて、ショーケース６１ａ，・・・にデフロストを行わせる。制御部７２ｂは、ショーケース６１ａ，・・・にデフロストを行わせる際に、冷凍冷蔵装置５１ａｂ，・・・をオフする。
このように、冷凍冷蔵装置にデフロストを行わせる際に、制御部７２ｂが冷凍冷蔵装置５１ａｂ，・・・をオフするので、デフロストが行われることにより店舗Ａ，・・・の総電力が減少する傾向にある。また、冷凍冷蔵装置５１ａｂ，・・・がオフされてからオンされるので、オンされた直後に冷凍冷蔵装置５１ａ，・・・の消費電力は一時的に増加する傾向にある。すなわち、デフロストが行われた場合の冷凍冷蔵装置５１ａｂ，・・・の電力値は、図１５（ｂ）に２点鎖線で示すように変化する。
【０１１９】
この場合でも、第１決定部７３ｂは、ピーク情報を制御部７２ｂ経由で第１記憶部７５から受け取る。第１決定部７３ｂは、ピーク情報などに基づいて、１以上のピーク時刻に重なるように１以上のデフロスト時刻を決定する（図１５（ａ）参照）。また、第１決定部７３ｂは、ピーク情報などに基づいて、さらに、１以上のピーク時刻の直前を避けるように１以上のデフロスト時刻を決定する。
【０１２０】
例えば、デフロスト回数＝２回、デフロスト間隔＝Δｔ、Ｎ＝１である場合、図１５（ａ）に示すようにデフロスト時刻が決定される。すなわち、電力デマンド値順位が１位であるピークＰ１のピーク時刻が１２時であるので、デフロスト時刻は、Δｔだけ離れている時刻Ｔ１ｂと時刻Ｔ２ｂとに決定される。ここで、１２時は、時刻Ｔ１ｂと同じ時刻となっていることが好ましい。これにより、店舗Ａ，・・・において、冷凍冷蔵装置５１ａ，・・・の電力は、図１５（ｂ）に２点鎖線で示すように変化することになり、冷凍冷蔵装置５１ａ，・・・以外の電力は、図１５（ｂ）に１点鎖線で示すように変化することになる。このため、店舗Ａ，・・・の総電力は、図１５（ｃ）に実線で示すように変化することになる。この結果、１２時近傍の総電力デマンド値の大きさは、デフロスト時刻を決定する前の値Ｗ１よりも小さな値Ｗ１ｂ（ピークＰ１ｂ）になる。すなわち、総電力デマンド値の最大値の増加が抑えられている。
【０１２１】
このように、１以上のピーク時刻に重なるように第１決定部７３ｂが１以上のデフロスト時刻を決定するので、店舗Ａ，・・・の総電力デマンド値が大きい時間帯にデフロスト時刻は決定される。このため、デフロストが行われることにより店舗Ａ，・・・の総電力が減少しても、店舗Ａ，・・・の総電力デマンド値の最大値の増加は低減する。
また、さらに、１以上のピーク時刻の直前を避けるように第１決定部７３ｂが１以上のデフロスト時刻を決定するので、店舗Ａ，・・・の総電力デマンド値が大きい時間帯とデフロスト時刻の直後のタイミングとが重なることは低減される。このため、店舗Ａ，・・・の総電力デマンド値の最大値の増加は低減する。
【０１２２】
以上より、店舗Ａ，・・・の電力料金の増加は低減される。
なお、この場合に、冷凍冷蔵装置５１ａｂ，・・・は、図１４に示すように、ヒーター５１７ａ，・・・（図２参照）を有していなくても良い。
（Ｅ）冷凍冷蔵装置５１ａ，・・・が設けられているのは、ショーケース６１ａ，・・・である代わりに、冷凍庫、冷蔵庫、倉庫などであってもよい。また、ショーケース６１ａ，・・・、冷凍庫、冷蔵庫、倉庫などが設置されているのは、店舗Ａ，・・・である代わりに、デパート、スーパーなどであってもよい。
【０１２３】
また、店舗Ａ，・・・のショーケース６１ａ，・・・に設けられている冷凍冷蔵装置５１ａ，・・・は、冷凍及び冷蔵を行う代わりに、冷凍のみ行っても良いし、冷蔵のみ行っても良いし、冷凍のみを行うものと冷蔵のみを行うものとが混在したものであっても良いし、冷凍及び冷蔵を行うものと冷凍のみを行うものと冷蔵のみを行うものとの少なくとも２つ以上が混在したものであっても良い。
【０１２４】
（Ｆ）図１６に示すデフロスト制御システム１ｉは、イベント検知センサー群９ｉ（９ａ，９ｂ，・・・）をさらに備えてもよい。各イベント検知センサー９ａ，・・・は、それぞれ、店舗Ａ，・・・に設置されており、主として、イベント情報を検知する。ここで、イベント情報は、店舗Ａ，・・・におけるイベントの発生状況に関する情報である。具体的には、イベント情報は、例えば、店舗Ａ，・・・の来店客数である。また、管理センター７０ｉは、図１７に示すように、第１決定部７３の代わりに第１決定部７３ｉを備え、制御部７２の代わりに制御部７２ｉを備えてもよい。
【０１２５】
この場合、送受信部７１は、イベント情報を、モデム２０ａ，・・・および第１回線５経由で各イベント検知センサー９ａ，・・・から受信する。第１決定部７３ｉは、イベント情報を、制御部７２ｉ経由で送受信部７１から受け取り、ピーク情報を制御部７２ｉ経由で第１記憶部７５から受け取る。第１決定部７３ｉは、ピーク情報とイベント情報となどに基づいて、デフロスト時刻を決定する。
【０１２６】
このように、ピーク情報とイベント情報となどに基づいて第１決定部７３ｉがデフロスト時刻を決定するので、店舗Ａ，・・・の総電力デマンド値のトレンドにおけるピークと、イベントの発生状況とを考慮して、１以上のデフロスト時刻は決定されることになる。
ここで、各イベント検知センサー９ａ，・・・は、店舗Ａ，・・・の入り口に設置されており、赤外線などを介して店舗Ａ，・・・の来店客数を検知してもよい。
【０１２７】
あるいは、イベント情報は、例えば、店舗Ａ，・・・において過去の同時期に買い物をした客数であってもよい。この場合、各イベント検知センサー９ａ，・・・は、ＰＯＳ（Ｐｏｉｎｔ  ｏｆ  Ｓａｌｅｓ）システムとリンクされており、店舗Ａ，・・・において買い物をした客数の情報を検知するとともに記憶する。そして、送受信部７１は、イベント情報を、第１回線５経由で各イベント検知センサー９ａ，・・・から受信する。
【０１２８】
（Ｇ）デフロスト制御システム１ｊの管理センター７０ｊは、図１８に示すように、第４入力部８６ｊをさらに備え、第１決定部７３の代わりに第１決定部７３ｊを備え、制御部７２の代わりに制御部７２ｊを備えてもよい。
この場合、第４入力部８６ｊには、イベント情報が入力される。第１決定部７３ｉは、イベント情報を、制御部７２ｊ経由で第４入力部８６ｊから受け取り、ピーク情報を制御部７２ｊ経由で第１記憶部７５から受け取る。第１決定部７３ｊは、ピーク情報とイベント情報となどに基づいて、デフロスト時刻を決定する。
【０１２９】
このように、ピーク情報とイベント情報となどに基づいて第１決定部７３ｊがデフロスト時刻を決定するので、店舗Ａ，・・・の総電力デマンド値のトレンドにおけるピークと、イベントの発生状況とを考慮して、１以上のデフロスト時刻は決定されることになる。
ここで、イベント情報は、例えば、店舗Ａ，・・・の来店客数と時間帯との相関関係である。このイベント情報は、具体的な過去のデータに基づいたものであっても良いし、利用者の主観に基づいたものであっても良い。
【０１３０】
＜第２実施形態＞
本発明の第２実施形態に係るデフロスト制御システムの構成図を図１９に示す。また、本発明の第２実施形態に係るデフロスト制御システム１００の構成要素の構成図を図２０に示す。図１９，図２０において、図１，図２のデフロスト制御システム１の構成要素と同様の構成要素は同じ番号で示してある。図１９に示すデフロスト制御システム１００は、主として、店舗Ａ，・・・において冷凍冷蔵装置５１ａ，５２ａ，・・・，５１ｂ，５２ｂ，・・・のデフロストを制御するシステムである。
【０１３１】
このデフロスト制御システム１００は、図１９及び図２０に示すように、基本的な構成は第１実施形態と同様であるが、管理センター７０の代わりに管理センター１７０が備えられ、第２デマンド計群１９６（１９６ａ，１９７ａ，・・・，１９６ｂ，１９７ｂ，・・・）がさらに備えられている点で、第１実施形態と異なる。
第２デマンド計群１９６（１９６ａ，１９７ａ，・・・，１９６ｂ，１９７ｂ，・・・）は、第２電力供給線９３ａにおいて、第１デマンド計９４ａ，・・・と冷凍冷蔵装置５１ａ，・・・との間に設けられている。各第２デマンド計１９６ａ，・・・は、冷凍冷蔵装置５１ａ，・・・ごとに設けられている。
【０１３２】
一方、管理センター１７０は、第２決定部７４の代わりに第３決定部１８３を備え、第１記憶部７５の代わりに第１記憶部１７５を備え、制御部７２の代わりに制御部１７２を備える。
そして、第２デマンド計１９６ａ，・・・は、第１電力デマンド値を検知する。ここで、第１電力デマンド値は、冷凍冷蔵装置５１ａ，・・・におけるデフロストに要する電力を各３０分間について平均した値である。第２デマンド計１９６ａ，・・・は、第４回線８ａ，・・・とＬＣ１３０ａ，・・・とモデム２０ａ，・・・と第１回線５とを経由して、第１電力デマンド値の情報を管理センター１７０へ送信する。
【０１３３】
管理センター１７０の送受信部７１は、店舗Ａ，・・・の総電力デマンド値の情報と第１電力デマンド値の情報とを、第１回線５経由で第１デマンド計９４ａ，９４ｂ，・・・から受信する。制御部１７２は、店舗Ａ，・・・の総電力デマンド値の情報と第１電力デマンド値の情報とを、送受信部７１から受け取る。制御部１７２は、３０分ごとに、店舗Ａ，・・・の総電力デマンド値から第１電力デマンド値を引いた電力デマンド値を求める。第１記憶部１７５は、１日における店舗Ａ，・・・の各３０分の「総電力デマンド値−第１電力デマンド値」の情報を記憶する。
【０１３４】
第３決定部１８３は、１日における店舗Ａ，・・・の各３０分の「総電力デマンド値−第１電力デマンド値」の情報を制御部１７２経由で第１記憶部１７５から受け取る。また、第３決定部１８３は、ピーク数の情報を制御部１７２経由で第３記憶部７７から受け取る。第３決定部１８３は、１日における店舗Ａ，・・・の各３０分の「総電力デマンド値−第１電力デマンド値」の情報と、ピーク数の情報とに基づいて、ピーク情報を決定する。ここで、ピーク情報は、１以上のピーク時刻に関する情報である。ピーク時刻は、店舗Ａ，・・・の総電力デマンド値のピークとなる時刻である。具体的には、第３決定部１８３は、１日における店舗Ａ，・・・の各３０分の「総電力デマンド値−第１電力デマンド値」が大きいものから、上位ピーク数の値を選択してピーク情報とする。制御部１７２は、ピーク情報を第３決定部１８３から受け取り、第１記憶部１７５へ渡す。第１記憶部１７５は、ピーク情報を記憶する。
【０１３５】
例えば、デフロスト回数＝２回、デフロスト間隔＝Δｔ、Ｎ＝１である場合、図２１に示すようにデフロスト時刻が決定される。すなわち、電力デマンド値順位が１位であるピークＰ１０１のピーク時刻が１２時であるので、デフロスト時刻は、Δｔだけ離れている時刻Ｔ１０１と時刻Ｔ１０２とに決定される。ここで、１２時は、時刻Ｔ１０１と時刻Ｔ１０２との真ん中の時刻となっていることが好ましい。なお、図２１において、縦軸が「総電力デマンド値−第１電力デマンド値」となっている。
【０１３６】
このように、第３決定部１８３が店舗Ａ，・・・の総電力デマンド値と第１電力デマンド値とに基づいてピーク情報を決定するので、ピーク情報は、店舗Ａ，・・・の総電力デマンド値のうち第１電力デマンド値を除外した電力デマンド値の実績に合ったものになる。このため、店舗Ａ，・・・の総電力デマンド値から第１電力デマンド値を除外した電力デマンド値が小さい時間帯にデフロスト時刻が決定されるようになる。この結果、店舗Ａ，・・・の総電力デマンド値の最大値の増加は低減される。また、第１電力デマンド値の変動の影響を除去した形でピークが決められるので、総電力デマンド値が小さい時間帯にデフロスト時刻が決定される際に、誤差が低減される。
【０１３７】
これらの点で第１実施形態と異なる。
第１決定部７３がピーク情報に基づいてデフロスト時刻を決定するので、店舗Ａ，・・・の総電力デマンド値が小さい時間帯にデフロスト時刻が決定されることになる点は、第１実施形態と同様である。したがって、このようなデフロスト制御システム１００によっても、店舗Ａ，・・・の総電力デマンド値の最大値の増加が低減されるので、店舗Ａ，・・・の電力料金の増加は低減される。
【０１３８】
（第２実施形態の変形例）
図２２に示すデフロスト制御システム１００ｉは、第２デマンド計群１９６（１９６ａ，１９７ａ，・・・，１９６ｂ，１９７ｂ，・・・）を備える代わりに、図２３に示すように、管理センター１７０ｉが第３入力部１８５ｉをさらに有するようになっていても良い。この場合、第３入力部１８５ｉには、第１電力デマンド値が入力される。制御部１７２ｉは、第１電力デマンド値の情報を第３入力部１８５ｉから受け取る。
【０１３９】
このように、第３入力部１８５ｉに第１電力デマンド値が入力されるので、店舗Ａ，・・・の総電力デマンド値と第１電力デマンド値とに基づいてピーク情報が決定されるようになる。
なお、第３入力部１８５ｉが入力されるタイミングは、冷凍冷蔵装置５１ａ，・・・が店舗Ａ，・・・に設置されるときかその前であることが好ましい。
【０１４０】
＜第３実施形態＞
本発明の第３実施形態に係るデフロスト制御システムの構成図を図２４に示す。また、本発明の第３実施形態に係るデフロスト制御システム２００の構成要素の構成図を図２５に示す。図２４，図２５において、図１，図２のデフロスト制御システム１の構成要素と同様の構成要素は同じ番号で示してある。図２４に示すデフロスト制御システム２００は、主として、店舗Ａ，・・・において冷凍冷蔵装置５１ａ，５２ａ，・・・，５１ｂ，５２ｂ，・・・のデフロストを制御するシステムである。
【０１４１】
このデフロスト制御システム２００は、図２４及び図２５に示すように、基本的な構成は第１実施形態と同様であるが、管理センター７０の代わりに管理センター２７０が備えられ、第３デマンド計群２９６（２９６ａ，２９７ａ，・・・，２９６ｂ，２９７ｂ，・・・）が備えられ、第４デマンド計群２９８（２９８ａ，２９８ｂ，・・・）がさらに備えられている点で、第１実施形態と異なる。
【０１４２】
第３デマンド計群２９６（２９６ａ，２９７ａ，・・・，２９６ｂ，２９７ｂ，・・・）は、第２電力供給線９３ａにおいて、第１デマンド計９４ａ，・・・と冷凍冷蔵装置５１ａ，・・・との間に設けられている。各第３デマンド計２９６ａ，・・・は、冷凍冷蔵装置５１ａ，・・・ごとに設けられている。
第４デマンド計群２９８（２９８ａ，２９８ｂ，・・・）は、第２電力供給線９３ａにおいて、第１デマンド計９４ａ，・・・と空気調和装置１１ａ，・・・との間に設けられている。各第４デマンド計２９８ａ，・・・は、空気調和装置１１ａ，・・・ごとに設けられている。
【０１４３】
一方、管理センター２７０は、第２決定部７４の代わりに第４決定部２８４を備え、第１記憶部７５の代わりに第１記憶部２７５を備え、制御部７２の代わりに制御部２７２を備える。
そして、第３デマンド計２９６ａ，・・・は、第３電力デマンド値を検知する。ここで、第３電力デマンド値は、冷凍冷蔵装置５１ａ，・・・の電力デマンド値である。第３デマンド計２９６ａ，・・・は、第３電力デマンド値の情報を第４回線８ａ経由でＬＣ２３０ａ，・・・へ送信する。ＬＣ２３０ａ，・・・は、第３回線７ａ，・・・とモデム２０ａ，・・・と第１回線５とを経由して、第３電力デマンド値の情報を管理センター２７０へ送信する。
【０１４４】
第４デマンド計２９８ａ，・・・は、第４電力デマンド値を検知する。ここで、第４電力デマンド値は、空気調和装置１１ａ，・・・の電力デマンド値である。第４デマンド計２９８ａ，・・・は、第４電力デマンド値の情報を第４回線８ａ経由でＬＣ２３０ａ，・・・へ送信する。ＬＣ２３０ａ，・・・は、第３回線７ａ，・・・とモデム２０ａ，・・・と第１回線５とを経由して、第４電力デマンド値の情報を管理センター２７０へ送信する。
【０１４５】
管理センター２７０の送受信部７１は、店舗Ａ，・・・の総電力デマンド値の情報を受信する代わりに、第３電力デマンド値の情報と第４電力デマンド値の情報とを、第１回線５経由でモデム２０ａ，・・・から受信する。制御部２７２は、第３電力デマンド値の情報と第４電力デマンド値の情報とを、送受信部７１から受け取る。制御部２７２は、３０分ごとに、第３電力デマンド値と第４電力デマンド値とを合計した電力デマンド値を第２電力デマンド値として求める。ここで、第２電力デマンド値は、冷凍冷蔵装置５１ａ，・・・の電力と空気調和装置１１ａ，・・・の電力との合計の電力を各３０分間について平均した値である。第１記憶部２７５は、１日における店舗Ａ，・・・の各３０分の第２電力デマンド値の情報を記憶する。
【０１４６】
第４決定部２８４は、１日における店舗Ａ，・・・の各３０分の第２電力デマンド値の情報を制御部２７２経由で第１記憶部２７５から受け取る。また、第４決定部２８４は、ピーク数の情報を制御部２７２経由で第３記憶部７７から受け取る。第４決定部２８４は、１日における店舗Ａ，・・・の各３０分の第２電力デマンド値の情報と、ピーク数の情報とに基づいて、ピーク情報を決定する。ここで、ピーク情報は、１以上のピーク時刻に関する情報である。ピーク時刻は、店舗Ａ，・・・の総電力デマンド値のピークとなる時刻である。具体的には、第４決定部２８４は、１日における店舗Ａ，・・・の各３０分の第２電力デマンド値が大きいものから、上位ピーク数の値を選択してピーク情報とする。制御部２７２は、ピーク情報を第４決定部２８４から受け取り、第１記憶部２７５へ渡す。第１記憶部２７５は、ピーク情報を記憶する。
【０１４７】
例えば、デフロスト回数＝２回、デフロスト間隔＝Δｔ、Ｎ＝２である場合、図２６に示すようにデフロスト時刻が決定される。すなわち、電力デマンド値順位が１位であるピークＰ２０１のピーク時刻が１２時であり、電力デマンド値順位が２位であるピークＰ２０２のピーク時刻が１８時であるので、デフロスト時刻は、Δｔだけ離れている時刻Ｔ２０３と時刻Ｔ２０４とに決定される。ここで、時刻Ｔ２０３から１２時までの時間と、１８時から時刻Ｔ２０４までの時間とは、等しいことが好ましい。
【０１４８】
このように、第４決定部２８４が店舗Ａ，・・・の第２電力デマンド値に基づいてピーク情報を決定するので、ピーク情報は、店舗Ａ，・・・の第２電力デマンド値の実績に合ったものになる。このため、店舗Ａ，・・・の第２電力デマンド値が小さい時間帯にデフロスト時刻が決定されるようになる。この結果、店舗Ａ，・・・の総電力デマンド値の最大値の増加は低減される。また、第１電力デマンド値の変動の影響を除去した形でピークが決められるので、総電力デマンド値が小さい時間帯にデフロスト時刻が決定される際に、誤差が低減される。
【０１４９】
これらの点で第１実施形態と異なる。
第１決定部７３がピーク情報に基づいてデフロスト時刻を決定するので、店舗Ａ，・・・の総電力デマンド値が小さい時間帯にデフロスト時刻が決定されることになる点は、第１実施形態と同様である。したがって、このようなデフロスト制御システム２００によっても、店舗Ａ，・・・の総電力デマンド値の最大値の増加が低減されるので、店舗Ａ，・・・の電力料金の増加は低減される。
【０１５０】
（第３実施形態の変形例）
第４決定部２８４は、３０分ごとに、第３電力デマンド値のみを求めても良い。このとき、第４決定部２８４は、１日における店舗Ａ，・・・の各３０分の第３電力デマンド値が大きいものから、上位ピーク数の値を選択してピーク情報とする。この場合でも、第４決定部２８４が店舗Ａ，・・・の第３電力デマンド値に基づいてピーク情報を決定するので、ピーク情報は、店舗Ａ，・・・の第３電力デマンド値の実績に合ったものになる。このため、店舗Ａ，・・・の第３電力デマンド値が小さい時間帯にデフロスト時刻が決定されるようになる。この結果、店舗Ａ，・・・の総電力デマンド値の最大値の増加は低減される。
【０１５１】
あるいは、第４決定部２８４は、３０分ごとに、第４電力デマンド値のみを求めても良い。このとき、第４決定部２８４は、１日における店舗Ａ，・・・の各３０分の第４電力デマンド値が大きいものから、上位ピーク数の値を選択してピーク情報とする。この場合でも、第４決定部２８４が店舗Ａ，・・・の第４電力デマンド値に基づいてピーク情報を決定するので、ピーク情報は、店舗Ａ，・・・の第４電力デマンド値の実績に合ったものになる。このため、店舗Ａ，・・・の第４電力デマンド値が小さい時間帯にデフロスト時刻が決定されるようになる。この結果、店舗Ａ，・・・の総電力デマンド値の最大値の増加は低減される。
【０１５２】
＜第４実施形態＞
本発明の第４実施形態に係るデフロスト制御システムの構成図を図２７に示す。また、本発明の第４実施形態に係るデフロスト制御システム２００の構成要素の構成図を図２８に示す。図２７，図２８において、図１，図２のデフロスト制御システム１の構成要素と同様の構成要素は同じ番号で示してある。図２７に示すデフロスト制御システム３００は、主として、店舗Ａ，・・・において冷凍冷蔵装置５１ａ，５２ａ，・・・，５１ｂ，５２ｂ，・・・のデフロストを制御するシステムである。
【０１５３】
このデフロスト制御システム２００は、図２７及び図２８に示すように、基本的な構成は第１実施形態と同様であるが、管理センター７０と第１回線５とモデム群２０（２０ａ，・・・）と第３回線群７（７ａ，・・・）とが備えられておらず、ＬＣ群３０（３０ａ，・・・）の代わりにＬＣ群３３０（３３０ａ，・・・）が備えられている点で、第１実施形態と異なる。
【０１５４】
すなわち、送受信部３３１ａ，送受信部３４１ａ，制御部３３２ａ，第１決定部３３３ａ，第２決定部３３４ａ，第１記憶部３３５ａ，第２記憶部３３６ａ，第３記憶部３３７ａ，第４記憶部３３８ａ及び第５入力部３３９ａは、管理センター７０の代わりにＬＣ３０ａに備えられる。他のＬＣ３０ｂ，・・・についても同様である。
第１決定部３３３ａ，・・・がピーク情報に基づいてデフロスト時刻を決定するので、店舗Ａ，・・・の総電力デマンド値が小さい時間帯にデフロスト時刻が決定されることになる点は、第１実施形態と同様である。したがって、このようなデフロスト制御システム３００によっても、店舗Ａ，・・・の総電力デマンド値の最大値の増加が低減されるので、店舗Ａ，・・・の電力料金の増加は低減される。
【産業上の利用可能性】
【０１５５】
本発明にかかるデフロスト制御システム及びデフロスト制御方法は、対象物件の電力料金の増加を低減することができるという効果を有し、デフロスト制御システム及びデフロスト制御方法等として有用である。
【図面の簡単な説明】
【０１５６】
【図１】本発明の第１実施形態に係るデフロスト制御システムの構成図。
【図２】冷凍冷蔵装置の冷媒回路図。
【図３】本発明の第１実施形態における管理センターの構成図。
【図４】デフロスト制御システムが冷凍冷蔵装置のデフロストを制御する処理の流れを示すフローチャート。
【図５】本発明の第１実施形態における第１決定部の動作を示す図。
【図６】本発明の第１実施形態における第１決定部の動作を示す図。
【図７】本発明の第１実施形態の変形例における管理センターの構成図。
【図８】上限間隔のテーブル情報を示す図。
【図９】本発明の第１実施形態の変形例に係るデフロスト制御システムの構成図。
【図１０】本発明の第１実施形態の変形例における管理センターの構成図。
【図１１】冷凍冷蔵装置の冷媒回路図。
【図１２】本発明の第１実施形態の変形例に係るデフロスト制御システムの構成図。
【図１３】本発明の第１実施形態の変形例における管理センターの構成図。
【図１４】冷凍冷蔵装置の冷媒回路図。
【図１５】本発明の第１実施形態の変形例における第１決定部の動作を示す図。
【図１６】本発明の第１実施形態の変形例に係るデフロスト制御システムの構成図。
【図１７】本発明の第１実施形態の変形例における管理センターの構成図。
【図１８】本発明の第１実施形態の変形例における管理センターの構成図。
【図１９】本発明の第２実施形態に係るデフロスト制御システムの構成図。
【図２０】本発明の第２実施形態における管理センターの構成図。
【図２１】本発明の第２実施形態における第１決定部の動作を示す図。
【図２２】本発明の第２実施形態の変形例に係るデフロスト制御システムの構成図。
【図２３】本発明の第２実施形態の変形例における管理センターの構成図。
【図２４】本発明の第３実施形態に係るデフロスト制御システムの構成図。
【図２５】本発明の第３実施形態における管理センターの構成図。
【図２６】本発明の第３実施形態における第１決定部の動作を示す図。
【図２７】本発明の第４実施形態に係るデフロスト制御システムの構成図。
【図２８】本発明の第４実施形態における管理センターの構成図。
【符号の説明】
【０１５７】
１，１ａ，１ｂ，１ｉ，１ｊ，１ｋ，１００，１００ｉ，２００，３００  デフロスト制御システム
１１ａ等  空気調和装置
５１ａ等，５１ａｋ等，５１ａｂ等，  冷凍冷蔵装置
７３，７３ａ，７３ｂ，７３ｉ，７３ｊ，３３３ａ等  第１決定部
７４，３３４ａ等  第２決定部
７５，１７５，２７５，３３５ａ等  第１記憶部
７６，３３６ａ等  第２記憶部
７７，３３７ａ等  第３記憶部
７８，３３８ａ等  第４記憶部
８１ａ  第１入力部
８２ａ  第２入力部
８６ｊ  第４入力部
９４  第１デマンド計群
１８３  第３決定部
１８５ｉ  第３入力部
１９６  第２デマンド計群
２８４  第４決定部
２９６  第３デマンド計群
２９８  第４デマンド計群
Ａ等  店舗
【図１】
2006322629.tif 000003
【図２】
2006322629.tif 000004
【図３】
2006322629.tif 000005
【図４】
2006322629.tif 000006
【図５】
2006322629.tif 000007
【図６】
2006322629.tif 000008
【図７】
2006322629.tif 000009
【図８】
2006322629.tif 000010
【図９】
2006322629.tif 000011
【図１０】
2006322629.tif 000012
【図１１】
2006322629.tif 000013
【図１２】
2006322629.tif 000014
【図１３】
2006322629.tif 000015
【図１４】
2006322629.tif 000016
【図１５】
2006322629.tif 000017
【図１６】
2006322629.tif 000018
【図１７】
2006322629.tif 000019
【図１８】
2006322629.tif 000020
【図１９】
2006322629.tif 000021
【図２０】
2006322629.tif 000022
【図２１】
2006322629.tif 000023
【図２２】
2006322629.tif 000024
【図２３】
2006322629.tif 000025
【図２４】
2006322629.tif 000026
【図２５】
2006322629.tif 000027
【図２６】
2006322629.tif 000028
【図２７】
2006322629.tif 000029
【図２８】
2006322629.tif 000030